(57)【特許請求の範囲】
【請求項１】
センター役物内の画像表示装置の前方側で、前記画像表示装置の表示画面の周囲を囲むようなリング状とし、周方向に沿って配設される複数の球移送室を有して、遊技盤に沿って回転するリング状回転体、を備えて構成されるパチンコ遊技機であって、
前記リング状回転体が、背面側に配置される円環状の背面壁部と、前記リング状回転体の内周側で連なって配設される内側筒部と、前記リング状回転体の回転中心を中心として放射状に、前記内側筒部から延びる複数の羽根板と、を備えて構成され、
前記球移送室が、隣接する前記羽根板間に、収納した遊技球を前面側から目視できる略扇状の開口を設けて、前記背面壁部と、前記内側筒部と、隣接する前記羽根板相互と、を備えて構成され、
前記遊技球を収納した状態で回転する前記球移送室の移動軌跡の周囲において、前記球移送室に対する前記遊技球の出し入れする部位を除き、前記球移送室の前面側と外周側とを覆うカバー部が配設され、
前記カバー部の内の前記球移送室の前面側を覆う前側カバー部が、透明材から形成されるとともに、内周縁側に、前記リング状回転体の回転中心側に向かって、後方側へ傾斜し、先端を前記内側筒部の前端に接近させるテーパ面部を、配設させて構成され、
前記リング状回転体の各羽根板が、前端面における前記内側筒部側の内縁側より外縁側を前方へ張り出すように傾斜させた台形板状に、形成されていることを特徴とするパチンコ遊技機。
【請求項２】
前記遊技球を収納して移動する前記球移送室が、前面側を前記前側カバー部に覆われて、回転する前記リング状回転体の下端付近から、少なくとも９０°を超える回転角度分、前記遊技球を移送するように、配設されていることを特徴とする請求項１に記載のパチンコ遊技機。
【請求項３】
移送後における前記球移送室からの前記遊技球の流出部位が、特定領域に入賞させる部位としていることを特徴とする請求項２に記載のパチンコ遊技機。
【発明の詳細な説明】
【技術分野】
【０００１】
本発明は、センター役物内の画像表示装置の前方側で、画像表示装置の表示画面の周囲を囲むように配置され、周方向に沿って配設される複数の球移送室を有して、遊技盤に沿って回転するリング状の回転体を備えて構成されるパチンコ遊技機に関する。
【背景技術】
【０００２】
従来のパチンコ遊技機では、複数の球移送室を設けた回転体が、遊技盤の中央付近に配置されるリング状とし、遊技盤の前面に沿って回転するものがあった（例えば、特許文献１参照）。このパチンコ遊技機では、リング状回転体が、前後に円環状のリングパネルを配設させ、前後のリングパネル相互を多数の区画部材によって連結して形成されていた。そして、区画部材間のリング状回転体の内外周を開口させた部位が、球移送室を構成していた。さらに、このパチンコ遊技機では、リング状回転体の内周側と外周側とに、適宜、壁部が設けられていた。そのため、球移送室へ流入した遊技球は、これらのリングパネルや壁部により、落下が防止されて、回転するリング状回転体の下端付近から、リング状回転体の側方までの略９０°程度の回転角度分、長く移送させることができた。
【０００３】
また、他の従来のパチンコ遊技機では、周方向に沿って複数の球移送室を設けたリング状回転体が、画像表示装置の表示画面の周囲を囲んで、遊技盤の前面に沿って回転するものもあった（例えば、特許文献２参照）。
【先行技術文献】
【特許文献】
【０００４】
【特許文献１】特開２００４−２１６１３９号公報
【特許文献２】特開２００５−３１９１６６号公報
【発明の概要】
【発明が解決しようとする課題】
【０００５】
しかし、特許文献１に記載のパチンコ遊技機では、球移送室に収納された遊技球は、球移送室におけるリング状回転体の内周側の開口から視認できるものの、リング状回転体の左右方向の側方への配置時、遊技球は、リング状回転体の内外周を覆う壁部と前側の平板状のリングパネルとに覆われて、視認し難くなり、遊技球を見易くする点に、改善の余地があった。また、このパチンコ遊技機では、リング状回転体へ遊技球を案内するルートが、リング状回転体の内側において、上方から下方へ向かい、リング状回転体の下端の後方から前方に案内するように、配設されており、画像表示装置の表示画面を内側で表示させて、画像表示装置の周囲を囲むように、リング状回転体を配設できるものではなかった。
【０００６】
一方、特許文献２のパチンコ遊技機では、リング状回転体が、画像表示装置の周囲を囲んで、回転する構成としており、画像表示装置の表示画面を、リング状回転体の内側で表示できて、画像表示装置の演出を楽しめ、かつ、遊技球を画像表示装置の回りで移送でき、遊技者の目を楽しませることができる。しかし、このリング状回転体では、球移送室が、単に、横長Ｕ字状の壁部を背面側のリングパネルから、回転方向に沿って断続的に前方へ突設させて、構成されているだけであって、リング状回転体の内周側への落下防止用の壁部もなく、回転するリング状回転体の下端付近の約３０°程度の回転角度分とした短い距離しか、遊技球を移送していなかった。
【０００７】
本発明は、上記の課題を解決するものであり、遊技球と画像表示装置の表示画面との良好な視認性を確保して、画像表示装置の周囲で、遊技球を長く移送できるパチンコ遊技機を提供することを目的とする。
【課題を解決するための手段】
【０００８】
本発明に係るパチンコ遊技機は、センター役物内の画像表示装置の前方側で、前記画像表示装置の表示画面の周囲を囲むようなリング状とし、周方向に沿って配設される複数の球移送室を有して、遊技盤に沿って回転するリング状回転体、を備えて構成されるパチンコ遊技機であって
リング状回転体が、背面側に配置される円環状の背面壁部と、リング状回転体の内周側で連なって配設される内側筒部と、リング状回転体の回転中心を中心として放射状に、内側筒部から延びる複数の羽根板と、を備えて構成され、
球移送室が、隣接する羽根板間に、収納した遊技球を前面側から目視できる略扇状の開口を設けて、背面壁部と、内側筒部と、隣接する羽根板相互と、を備えて構成され、
遊技球を収納した状態で回転する球移送室の移動軌跡の周囲において、球移送室に対する遊技球の出し入れする部位を除き、球移送室の前面側と外周側とを覆うカバー部が配設され、
カバー部の内の球移送室の前面側を覆う前側カバー部が、透明材から形成されるとともに、内周縁側に、リング状回転体の回転中心側に向かって、後方側へ傾斜し、先端を内側筒部の前端に接近させるテーパ面部を、配設させて構成され、
リング状回転体の各羽根板が、前端面における内側筒部側の内縁側より外縁側を前方へ張り出すように傾斜させた台形板状に、形成されていることを特徴とする。
【０００９】
本発明に係るパチンコ遊技機では、球移送室内に収納された遊技球がリング状回転体の回転に伴って移送される際、前側カバー部の部位では、球移送室の略扇状の開口から目視できる遊技球は、透明な前側カバー部を介在させて目視されることとなる。そして、この前側カバー部には、テーパ面部が配設されており、このテーパ面部は、内周縁側となる先端側を、リング状回転体の回転中心側に向かって、後方側へ傾斜させて、球移送室の内側筒部の前端に接近させ、前後方向の投影面積より、傾斜している分、面積を広くできる。すなわち、このパチンコ遊技機では、実質的に、面積を広くした透明なテーパ面部により、球移送室内の遊技球を目視し易くなる。
【００１０】
さらに、球移送室を区画している羽根板も、前端面における内側筒部側の内縁側より外縁側を前方へ張り出させて、換言すれば、テーパ面部に対応して、内縁側を後方に向かわせるように、傾斜しており、前後方向の投影面積より、傾斜している分、実質的な開口面積を、広げることとなって、球移送室内が見易くなり、羽根板の前端面がテーパ面部の裏面側に接近することもあいまって、球移送室内の遊技球が目視し易くなる。
【００１１】
また、リング状回転体は、内側筒部を備えて、遊技球を内周側に落下させないことから、移送時の回転角度を大きくして、遊技球の移送距離を長くしても、支障なく、遊技球を移送することができる。
【００１２】
さらに、この内側筒部は、球移送室への遊技球の流入用の開口が設けられることなく、リング状回転体の内周側の全周にかけて配設されており、その内側筒部の内周側の後方には、画像表示装置の表示画面を配設するだけでよく、画像表示装置の表示画面を視認性よく見ることができる。
【００１３】
そして、本発明に係るパチンコ遊技機では、遊技球を収納して移動する球移送室の前面側を、前側カバー部によって覆い、回転するリング状回転体の下端付近から、少なくとも９０°を超える回転角度分、遊技球を移送するように構成すれば、演出を楽しめる画像表示装置の回りで、長く、かつ、ダイナミックに、遊技球を移送できて、遊技者の目を楽しませることができる。
【００１４】
この場合、移送後における球移送室からの遊技球の流出部位を、特定領域に入賞させる部位とすれば、遊技球が球移送室に収納された時点から流出部位まで移送される際、遊技者は、見易い状態の遊技球を目視しつつ、特定領域に入賞する感覚を、じっくり、かつ、確実に味わえ、遊技の趣向性を向上させることができる。
【発明の効果】
【００１５】
したがって、本発明に係るパチンコ遊技機では、遊技球と画像表示装置の表示画面との良好な視認性を確保して、画像表示装置の周囲で、遊技球を長く移送でき、遊技者の目を楽しませることができる。
【図面の簡単な説明】
【００１６】
【図１】本発明に係る一実施形態のパチンコ遊技機の概略正面図である。
【図２】実施形態のパチンコ遊技機における遊技盤を示す概略正面図である。
【図３】実施形態のパチンコ遊技機における小当たり時の開閉部材等が動作した状態を示す遊技盤の概略斜視図である。
【図４】実施形態のパチンコ遊技機における遊技盤の概略分解斜視図である。
【図５】実施形態のパチンコ遊技機の第２大入賞装置付近を示す概略正面図である。
【図６】実施形態のパチンコ遊技機における小当たり時の開閉部材等が動作した状態の第２大入賞装置付近を示す概略正面図である。
【図７】実施形態のパチンコ遊技機における第２大入賞装置付近の右側から見た概略部分斜視図である。
【図８】実施形態のパチンコ遊技機における小当たり時の開閉部材等が動作した状態の第２大入賞装置付近の右側から見た概略部分斜視図である。
【図９】図８に示す状態からセンター飾り組付体を取り外した状態の概略部分斜視図である。
【図１０】実施形態のパチンコ遊技機における小当たり時の開閉部材等が動作した状態の第２大入賞装置付近の左側から見た概略部分斜視図である。
【図１１】図１１に示す状態からセンター飾り組付体を取り外した状態の概略部分斜視図である。
【図１２】実施形態のパチンコ遊技機における左右に揺動する振り分け部材付近の概略部分斜視図である。
【図１３】実施形態のパチンコ遊技機における高入賞率ルート（第２分岐ルート）の一部を示す概略部分斜視図である。
【図１４】実施形態の第２大入賞装置を構成するセンター飾り組付体の概略分解斜視図である。
【図１５】実施形態のセンター飾り組付体の装飾材付近を除いた概略分解斜視図である。
【図１６】実施形態のセンター飾り組付体の種々の装飾材を示す概略分解斜視図である。
【図１７】実施形態の第２大入賞装置を構成するベース側構造体側の概略分解斜視図である。
【図１８】実施形態のセンター飾り組付体における本体枠材、下側仕切材、及び、底板の正面側の斜視図である。
【図１９】実施形態のセンター飾り組付体における本体枠材、下側仕切材、及び、底板の背面側の斜視図である。
【図２０】実施形態のセンター飾り組付体における本体枠材、下側仕切材、及び、底板を組み付けた背面側の概略部分斜視図である。
【図２１】実施形態のセンター飾り組付体における上側仕切材の背面側の斜視図である。
【図２２】実施形態の高入賞率ルートの一部を構成する流下路形成部材の上方から見た状態と下方から見た状態の斜視図である。
【図２３】実施形態の開閉部材の駆動機構を説明する背面側から見た分解斜視図である。
【図２４】実施形態の開閉部材の開閉を説明する正面図である。
【図２５】実施形態の第２大入賞装置における左右に揺動する振り分け部材付近の概略分解斜視図である。
【図２６】実施形態の左右に揺動する振り分け部材の側面図である。
【図２７】実施形態の左右に揺動する振り分け部材の正面図である。
【図２８】実施形態の第２大入賞装置における振り分け準備室付近を示す概略横断面図であり、図１２のXXVIII−XXVIII部位に対応する。
【図２９】実施形態の第２大入賞装置における振り分け準備室付近を示す概略縦断面図であり、図１２のXXIX−XXIX部位に対応する。
【図３０】実施形態の振り分け部材を揺動させる振り分け揺動機構を示す概略斜視図と、背面側から見た概略分解斜視図である。
【図３１】実施形態の振り分け揺動機構を説明する図である。
【図３２】実施形態の振り分け揺動機構が、図３１に示す状態から、振り分け部材を揺動させた状態を説明する図である。
【図３３】実施形態の左右に揺動する振り分け部材が、振り分け準備室から流下する遊技球を、低入賞率ルート（第１分岐ルート）と高入賞率ルート（第２分岐ルート）とに転動させるように、振り分ける状態を説明する図である。
【図３４】実施形態の遊技球の移送機構を示す概略斜視図である。
【図３５】実施形態の遊技球の移送機構を示す背面側から見た概略分解斜視図である。
【図３６】実施形態の移送機構に使用するリング状回転体の壁無し球移送室を示す横断面図であり、リング状回転体の回転中心軸の左方側と右方側に配置された状態を示す。
【図３７】実施形態の移送機構に使用するリング状回転体の壁有り球移送室を示す横断面図であり、リング状回転体の回転中心軸の左方側と右方側に配置された状態を示す。
【図３８】実施形態の移送機構に使用するリング状回転体とカバーパネルとを組み合わせた状態の概略正面図である。
【図３９】実施形態のカバーパネルを示す正面側の概略斜視図である。
【図４０】実施形態のカバーパネルを示す背面側の概略斜視図である。
【図４１】実施形態の第２大入賞装置の高入賞率ルートにおける振り分け機構付近を示す概略横断面図であり、図５のXLI−XLI部位に対応する。
【図４２】実施形態の第２大入賞装置の高入賞率ルートにおける振り分け機構付近を示す概略縦断面図であり、図５のXLII−XLII部位に対応する。
【図４３】実施形態の第２大入賞装置に低入賞率ルートにおける遊技球の入賞を説明する横断面図であり、図５のXLIII−XLIII部位に対応する。
【図４４】実施形態の第２大入賞装置に低入賞率ルートにおける遊技球の入賞を説明する図であり、図５のXLIV−XLIV部位に対応する。
【図４５】実施形態の第２大入賞装置の高入賞率ルートにおける振り分け機構付近を示す概略斜視図である。
【図４６】実施形態の第２大入賞装置の高入賞率ルートにおける振り分け機構付近を示す概略分解斜視図である。
【図４７】実施形態の第２大入賞装置の高入賞率ルートにおける振り分け機構における振り分け状態を説明する概略横断面図である。
【図４８】実施形態の第２大入賞装置の低入賞率ルートにおける振り分け機構付近を示す概略横断面図であり、図５のXLVIII−XLVIII部位に対応する。
【図４９】実施形態の第２大入賞装置の低入賞率ルートにおける振り分け機構付近を示す概略縦断面図であり、図５のXLIX−XLIX部位に対応する。
【図５０】実施形態の第２大入賞装置の低入賞率ルートにおける振り分け機構付近を示す概略斜視図である。
【図５１】図５０に示す状態から低入賞率ルートの振り分け機構における取付プレートを外した概略斜視図である。
【図５２】図５０に示す低入賞率ルートの振り分け機構の概略分解斜視図である。
【図５３】実施形態の上下に昇降（往復移動）する振り分け部材の駆動機構を示す背面側から見た概略分解斜視図である。
【図５４】実施形態の第２大入賞装置において、上下に昇降する振り分け部材が下端位置に配置されている状態を示す概略部分縦断面図である。
【図５５】実施形態の第２大入賞装置において、上下に昇降する振り分け部材が上端位置に配置されている状態を示す概略部分縦断面図である。
【図５６】実施形態の第２大入賞装置において、上下に昇降する振り分け部材が下端位置に配置されている状態を示す概略部分正面図である。
【図５７】実施形態の第２大入賞装置において、上下に昇降する振り分け部材が上端位置に配置されている状態を示す概略部分正面図である。
【図５８】実施形態の第２大入賞装置において、上下に昇降する振り分け部材付近の概略平面図であり、遊技球が壁無し球移送室に移送された状態を示す。
【図５９】実施形態の球噛み防止機構のシャッタが流下口を閉塞した状態を示す概略縦断面図であり、図３８のLIX−LIXに示す位置に対応する。
【図６０】実施形態の球噛み防止機構のシャッタが、図５９に示す状態から、流下口を開口した状態を示す概略縦断面図である。
【図６１】実施形態の球噛み防止機構のシャッタが流下口を閉塞した状態を示す概略部分斜視図である。
【図６２】実施形態の球噛み防止機構のシャッタが流下口を開口した状態を示す概略部分斜視図である。
【図６３】実施形態の球噛み防止機構のシャッタが流下口を閉塞した状態を示す概略部分正面図である。
【図６４】実施形態の球噛み防止機構のシャッタが流下口を開口した状態を示す概略部分正面図である。
【図６５】実施形態の球噛み防止機構のシャッタが流下口を閉塞した状態を示す概略部分横断面図であり、図６３のLXV−LXV部位に対応する。
【図６６】実施形態の球噛み防止機構のシャッタが流下口を開口した状態を示す概略部分横断面図であり、図６４のLXVI−LXVI部位に対応する。
【図６７】実施形態の流下口の後方に、リング状回転体の壁有り球移送室が配置された状態を示す概略部分正面図である。
【図６８】実施形態の流下口の後方に、リング状回転体の壁有り球移送室が配置された状態を示す概略部分横断面図である。
【図６９】カバー部のテーパ面部の変形例を説明する図である。
【発明を実施するための形態】
【００１７】
［実施形態のパチンコ遊技機の全体構成の概略説明］
本発明の一実施形態のパチンコ遊技機（以下、単に遊技機とする）１を図面に基づいて説明すると、実施形態の遊技機１は、図１に示すように、外枠（機枠）２に、遊技盤１２を設けた中枠（内枠）１１と、中枠１１の前面側に位置してガラス扉４を設けたガラス枠ユニット（前面扉ユニット）３と、を、開き可能に取り付けて構成されている。ガラス枠ユニット３には、下部側に、球受け部６を設けた皿ユニット部５が設けられている。皿ユニット部５には、遊技球を遊技盤１２の遊技領域１３に打ち出すために操作するハンドル７や皿球抜きボタン８、通路球抜きボタン９、演出ボタン１０が配設されている。
【００１８】
遊技盤１２は、図２〜４に示すように、盤本体構成部材群７０と、盤本体構成部材群７０に取り付けられる遊技構成部材群２０と、を備えて構成されている。
【００１９】
盤本体構成部材群７０は、図４，１７に示すように、前面側を遊技領域１３とする四角環状の前側部材（遊技盤本体）８０、前側部材８０の後面（背面）下部に接合される加飾シート８１、四角環状のスペーサ８３、スペーサ８３の後方に配置される四角環状の装飾部材８５、装飾部材８５の後方に配置される取付ベース８７、及び、取付ベース８７の後方に配置される支持部材８９、を備えて構成されている。前側部材８０は、前面側に釘４３等を配設する遊技盤本体を構成するもので、後方の加飾シート８１や装飾部材８５の装飾図柄や装飾体を前方側から目視できるように、透明なアクリル等の合成樹脂から形成されている。また、取付ベース８７も、内周縁部８７ａ付近において、後述するリング状回転体４１０によって移送する遊技球を前方側から目視できるように、透明なアクリル等の合成樹脂から形成されている。これらの前側部材８０、加飾シート８１、スペーサ８３、装飾部材８５、取付ベース８７、及び、支持部材８９は、ねじや接着剤等を利用して、相互に結合されるとともに、遊技構成部材群２０を取り付けた状態で、中枠１１に取り付けられることとなる。なお、この盤本体構成部材群７０には、後面側に、画像表示装置４０（図１〜３参照）や図示しないメイン制御基板やサブ制御基板等も取り付けられることとなる。
【００２０】
遊技構成部材群２０は、図２，４に示すように、遊技領域１３の周囲を区画して設定する規制壁２１、ハンドル７の操作により打ち出される遊技球を遊技領域１３に誘導する誘導レール２２の他、釘４３、風車４４、ゲート４５、普通入賞装置４６、第１始動入賞装置４８、第２始動入賞装置（電チュー）５０、第１大入賞装置（アタッカー）５３、遊技領域１３の中央に設けられるセンター役物２５、及び、規制部材６６，６７，６８、を備えて構成されている。センター役物２５は、実施形態の場合、第２大入賞装置３０を備えて構成され、中央に、画像表示装置４０の液晶からなる表示画面４１が配設されている。
【００２１】
また、遊技盤１２の右上隅には、図２に示すように、第１特別図柄表示器５６、第１特別図柄保留ランプ５７、第２特別図柄表示器５８、第２特別図柄保留ランプ５９、普通図柄表示器６０、及び、普通図柄保留ランプ６１が配設されている。これらの第１特別図柄表示器５６等は、実施形態の場合、遊技領域１３の右上隅の領域を区画して設定するように、遊技盤１２の前面に取り付けられる規制部材６８に配設されて、遊技盤１２に取り付けられている。なお、実施形態の場合、遊技盤１２の左下隅と右下隅にも、遊技領域１３の左右の下隅を区画して設定するように、遊技盤１２の前面に取り付けられる規制部材６６，６７が、配設されている。これらの規制部材６６〜６８も、遊技構成部材群２０の一部を構成している。
【００２２】
遊技領域１３での遊技球の入賞する入賞口としては、図３に示すように、普通入賞装置４６の普通入賞口４７、第１始動入賞装置４８の第１始動口４９、第２始動入賞装置５０の第２始動口５１、第１大入賞装置５３の第１大入賞口５４、及び、第２大入賞装置３０の第２大入賞口３１、があり、それらへの入賞時には、所定数の賞球を得ることができる。さらに、第２大入賞装置３０には、図５，６に示すように、第２大入賞口３１からの遊技球の入賞により大当たり（Ｖ入賞）となる二つの特定領域（第１Ｖ入賞口・第２Ｖ入賞口）３２，３３が、配設されている。
【００２３】
第１始動入賞装置４８の第１始動口４９に入賞すれば、遊技盤１２の背面側に配置された図示しないメイン制御基板が、大当たりと小当たりとの抽選を行い、大当たりとなれば、大当たり終了後の時短の有無の抽選とラウンド数の抽選とを行い、ラウンド数の抽選結果に応じて、第１大入賞装置５３の第１大入賞口５４を、所定の回数分や時間分、開口することとなり、小当たりとなれば、特定領域３２，３３への入賞による大当たりを前提とした時短の有無の抽選と、開口時の回数や時間の抽選と、を行い、開口回数等の抽選結果に応じて、後述する開閉部材（羽根）１９０を回動させて、第２大入賞装置３０の第２大入賞口３１を、開口することとなる。
【００２４】
第２始動入賞装置５０の第２始動口５１は、ゲート４５の遊技球の通過に伴うメイン制御基板による抽選により、所定の回数分や時間分、開くこととなる。第２始動口５１に遊技球が入賞すれば、メイン制御基板の抽選により、大当たり、小当たり、及び、外れの抽選を行い、大当たりとなれば、既述したように、時短の有無の抽選とラウンド数の抽選とを行い、ラウンド数の抽選結果に応じて、第１大入賞装置５３の第１大入賞口５４を、所定の回数分や時間分、開かせることとなり、小当たりとなれば、既述したように、特定領域３２，３３への入賞の大当たりを前提とした時短の有無の抽選とともに、開口時の回数や時間の抽選と、を行い、その抽選結果に応じて、開閉部材１９０を回動させて、第２大入賞装置３０の第２大入賞口３１を、開口することとなる。なお、この場合の第２始動入賞装置５０への入賞による小当たりでは、第１始動入賞装置２８への入賞時の小当たりに比べて、第２大入賞口６５の開口時の時間若しくは回数の少なくとも一方は、増やすように設定されている。
【００２５】
第２大入賞装置３０では、既述したように、第１始動入賞装置４８や第２始動入賞装置５０への入賞による抽選での小当たり時、開閉部材１９０を回動させて、第２大入賞口３１が開口される。そして、第２大入賞口３１に入賞した遊技球が二つの特定領域（第１，２Ｖ入賞口）３２，３３のいずれかに入れば、大当たり（Ｖ入賞）となり、第１大入賞装置５３の第１大入賞口５４を開口させた大当たり遊技に移行できる。
【００２６】
さらに、第１始動口４９や第２始動口５１への入賞時の抽選による大当たりの遊技終了後、あるいは、第２Ｖ入賞口３３や第１Ｖ入賞口３２への入賞による大当たりの遊技終了後においては、大当たりや小当たりの抽選時に時短付きであれば、遊技球のゲート４５の通過による抽選の当たりにより、第２始動入賞装置５０の第２始動口５１を、所定の回数分や時間分、開口させる時短遊技状態に移行し、時短付きでなければ、通常遊技状態に移行することとなる。
【００２７】
普通図柄表示器６０では、遊技球のゲート４５の通過に伴う抽選の変動停止が表示され、その抽選を待つゲート４５通過済みの遊技球の数が、最大４個分まで、普通図柄保留ランプ６１に表示される。また、第１特別図柄表示器５６では、第１始動入賞装置４８への入賞に伴う抽選の変動停止が、画像表示装置４０の表示画面４１での演出とともに、表示され、その抽選を待つ第１始動入賞装置４８への入賞済みの遊技球の数が、最大４個分まで、第１特別図柄保留ランプ５７に表示される。さらに、第２特別図柄表示器５８では、第２始動入賞装置５０への入賞に伴う抽選の変動停止が、画像表示装置４０の表示画面４１での演出とともに、表示され、その抽選を待つ第２始動入賞装置５０へ入賞済みの遊技球の数が、最大４個分まで、第２特別図柄保留ランプ５９に表示される。
【００２８】
画像表示装置４０の表示画面４１に表示される演出は、遊技機１の背面側に配設された図示しないサブ制御基板の制御によりなされ、サブ制御基板は、図示しないメイン制御基板の上記の抽選やその抽選結果に基づいて、メイン制御基板からの作動信号により、ランプ６３やスピーカ６４（図１参照）への作動信号とともに、所定の演出を行うように、画像表示装置４０に所定の作動信号を出力する。実施形態の場合、サブ制御基板は、第２大入賞装置３０への入賞時と、さらに、第２大入賞装置３０内の後述するスペシャルルートＳＲへの遊技球の振り分け時にも、それらをセンシングしたメイン制御基板からの信号に基づいて、ランプ６３やスピーカ６４への作動信号とともに、所定の演出を行うように、画像表示装置４０に所定の作動信号を出力する。また、サブ制御基板は、画像表示装置４０での予告演出やリーチ演出時、適宜、遊技者に演出ボタン１０を押圧操作させる演出も併せて行い、押圧操作時に、対応する所定の演出を行うように、画像表示装置４０やランプ６３等に所定の作動信号を出力する。
【００２９】
［第２大入賞装置の説明］
第２大入賞装置３０は、図５に示すように、画像表示装置４０とともに、センター役物２５を構成するものであり、実施形態の場合、図４に示すように、開閉部材１９０や振り分け部材２６０を有したセンター飾り組付体１００と、センター飾り組付体１００の後方側に配置されるベース側構造体３００と、を備えて構成されている。ベース側構造体３００は、図１７に示すように、遊技盤１２の盤本体構成部材群７０における取付ベース８７の内周縁部８７ａからなるカバーパネル５００、振り分け部材２６０を揺動させる振り分け揺動機構３１０、遊技球を移送する移送機構４００、ノーマルルート（以下、適宜、Ｎルートと略す場合がある）振り分け機構７００、及び、スペシャルルート（以下、適宜、Ｓルートと略す場合がある）振り分け機構６００、を備えて構成されている。
【００３０】
なお、この第２大入賞装置３０では、図６に示すように、二つの特定領域（第１Ｖ入賞口、第２Ｖ入賞口）３２，３３にそれぞれ入賞する二つのルート（ノーマルルートＮＲとスペシャルルートＳＲ）が形成されている。ノーマルルート（Ｎルート）ＮＲは、対応する第１Ｖ入賞口３２へ入賞する可能性はあるものの、若干低い低確率（ＮルートＮＲ内に入った遊技球の約１／２３程度）で入賞する低入賞率ルートである。スペシャルルート（Ｓルート）ＳＲは、対応する第２Ｖ入賞口３３に対して、高確率（ＳルートＳＲ内に入った遊技球の１／３）で入賞し易い高入賞率ルートである。そして、第２大入賞口３１から入賞した遊技球は、振り分け機構２５０の左右に揺動する振り分け部材２６０により、ＮルートＮＲとＳルートＳＲとの二つのいずれかに振り分けられ、第１Ｖ入賞口３２や第２Ｖ入賞口３３に入賞するか、あるいは、外れ排出口７８４，７８５，７８６，６１４（図７参照）から排出されることとなる。
【００３１】
また、実施形態の場合、後述する振り分け機構２５０の構成によって、遊技球がＳルートＳＲよりＮルートＮＲへ振り分けられる確率を高くするように、設定されている。そのため、第２大入賞装置３０では、上部の第２大入賞口３１から入賞した遊技球Ｂが左右に振り分けられる二つの分岐ルートに関し、ＮルートＮＲが、遊技球の振り分けられる確率の高い第１分岐ルートとし、ＳルートＳＲが、遊技球の振り分けられる確率の低い第２分岐ルートとすることもできる。
【００３２】
［第２大入賞装置の構成部材であるセンター飾り組付体の説明］
センター飾り組付体１００は、図１４〜１６に示すように、本体枠材１１０、底板１２０、流下路形成部材１３０、上側仕切材１４０、下側仕切材１５０、上側後上カバー材１６０、上側後下カバー材１７０、上側背面部材１７５、装飾材１３６，１８０，１８１，１８２、開閉部材１９０、開閉駆動機構２００、及び、振り分け部材２６０、を備えて構成されている。
【００３３】
なお、センター飾り組付体１００では、遊技盤１２の盤本体構成部材群７０の前側部材８０の前面８０ａから、遊技球Ｂの略直径寸法ＢＤ分、前方側に突出する部材は、つぎのものがある（図１５，１６，２９参照）。まず、本体枠材１１０では、後述するフード部１１１ａの前縁１１１ａｆ、振り分け転動路部１１４、Ｓルート案内路部１１５、Ｎルート案内路部１１６、及び、庇部１１７ａ，１１７ｂがある。上側仕切材１４０では、後述する規制壁１４１ｂ，１４１ｃや収納前側部１４３がある。他に、開閉部材１９０、流下路形成部材１３０、装飾材１３６、さらに、左側装飾材１８１や右側装飾材１８２の上端側の庇部１８１ａ，１８２ａ、振り分け部材２６０の振り分け案内板２８０における先端部２８５等がある。
【００３４】
また、センター飾り組付体１００の本体枠材１１０等の各構成部材は、特に説明しない限り、適宜、ねじ（図符号省略）を利用して、相互に結合されている。
【００３５】
本体枠材１１０は、図１８〜２０に示すように、透明なアクリル等の合成樹脂から形成される略円環状として、上部側の略逆Ｕ字状の上側カバー部１１１と、下部前面側の上下方向に沿って配置される略半円板状の前カバーパネル部１１７と、を備えて構成されている。なお、本体枠材１１０は、上側カバー部１１１と前カバーパネル部１１７との外周縁に、盤本体構成部材群７０の前側部材８０に取り付けるための取付フランジ１１０ａ，１１０ｃを備えている。これらの取付フランジ１１０ａ，１１０ｃを、取付孔１１０ｂ，１１０ｄを挿通させるねじ（図示省略）を利用して、前側部材８０に取り付ければ、本体枠材１１０が、センター飾り組付体１００ごと、前側部材８０に取り付けられることとなる。
【００３６】
前カバーパネル部１１７には、左右の両縁に、上下方向に沿って前方側に突設されて、センター役物２５の周囲の遊技球の後述するステージ６１０（図７，１０参照）上への流入を防止するための庇部１１７ａ，１１７ｂが、配設されている。また、前カバーパネル部１１７の後面側の左右の下縁側には、取付フランジ１１０ｃ，１１０ｃの内側に配置される略１／４円弧状として、帯状に後方に突出する左案内壁部１１８と右案内壁部１１９とが、配設されている。これらの左案内壁部１１８と右案内壁部１１９との上面は、ＮルートＮＲの遊技球の転動する流下ルートＮ２の転動面１１８ａ，１１９ａを構成するものである。特に、左案内壁部１１８の転動面１１８ａは、ＮルートＮＲの転動ルートＮ１からの遊技球Ｂを転動させるものである（図６，８参照）。また、右案内壁部１１９の転動面１１９ａは、左案内壁部１１８の転動面１１８ａを転動してきた遊技球Ｂが、底板１２０から後方に転動しなかった際、さらに右方側に転動させて、速度を低下させ、そして、自重により底板１２０側に反転させるためのものである（図１０参照）。各転動面１１８ａ，１１９ａには、転動する遊技球Ｂを減速させるための複数の小さな突条１１８ｃ，１１９ｃ（図１９，１０参照）が、突設されている。
【００３７】
なお、前カバーパネル部１１７の下縁側の後面には、底板１２０をねじ止めする取付ボス１１７ｃと下側仕切材１５０をねじ止めする取付ボス１１７ｄとが、二つずつ、左右対称的に後方に突設されている。下側仕切材１５０を取り付ける左右の取付ボス１１７ｄは、左案内壁部１１８と右案内壁部１１９との相互に接近する端面１１８ｂ，１１９ｂ側に、配置されている。さらに、前カバーパネル部１１７の下縁には、底板１２０の複数の位置決め突起１２０ｆを嵌合させる位置決め孔１１７ｅが形成されている。
【００３８】
また、本体枠材１１０の上側カバー部１１１は、内側の後部側にかけて配置される上側装飾材１８０の左右と上方とを覆うフード部１１１ａと、フード部１１１ａの左右の下端付近から左右両側に階段状に膨らんで、前カバーパネル部１１７の左右の上端に連結される左側部１１１ｂ及び右側部１１１ｃと、を備えて構成されている。フード部１１１ａは、前縁１１１ａｆを、上側仕切材１４０の上側パネル部１４１の前面１４１ａより、開閉部材１９０の前後方向の略厚さ分、前方に突出させている（図２９参照）。フード部１１１ａの上端、あるいは、左側部１１１ｂや右側部１１１ｃとの上縁側には、取付孔１１０ｂを有した既述の取付フランジ１１０ａが、形成されている。
【００３９】
さらに、上側カバー部１１１には、フード部１１１ａの下方で、左側部１１１ｂと右側部１１１ｃとを左右で連結するように、棚板部１１２が配設されるとともに、左右の開閉部材１９０の回動軸１９５（図２３参照）を支持する軸支部１１２ｊが前方へ突出するように配設されている。棚板部１１２は、振り分け準備室１２５（図２８，２９参照）の後側部分となる収納後側部１１２ａを備えて構成され、左右の連結片１１３，１１３を介在させて、左側部１１１ｂと右側部１１１ｃとに、連結されている。
【００４０】
振り分け準備室１２５は、図２８，２９，３３に示すように、第２大入賞口３１に入賞した遊技球Ｂを、ＳルートＳＲとＮルートＮＲとに振り分ける振り分け部材２６０に対して、極力、鉛直方向に沿って自由落下できるように、遊技球Ｂの動きを整える部位である。振り分け準備室１２５には、上端の天井壁１２５ａにおける左右の前縁側に、それぞれ、遊技球を流入させる流入口１２６，１２７が配設され、下端の底壁１２５ｂの左右の中央側の前縁側に、遊技球Ｂを落下させる流下口１２８が開口されている。底壁１２５ｂは、上面側の傾斜に関し、左右方向では、左右方向の中央を低くし、また、前後方向でも、前後方向の中央を低くするように、構成されている。さらに、実施形態の場合、振り分け準備室１２５は、本体枠材１１０の収納後側部１１２ａと、上側仕切材１４０の収納前側部１４３と、から構成されている。
【００４１】
この本体枠材１１０の収納後側部１１２ａは、図１８，２８，２９に示すように、後端側で上下方向に沿って配設される背面壁部１１２ｂ、背面壁部１１２ｂの上縁側から前方に延びる天井壁部１１２ｃ、天井壁部１１２ｃの左右の縁からそれぞれ下方に延びる側壁部１１２ｆ，１１２ｆ、左右の側壁部１１２ｆ，１１２ｆの下縁相互を連結するように背面壁部１１２ｂから前方に突出する底壁部１１２ｄ、を備えて構成されている。背面壁部１１２ｂは、振り分け準備室１２５の背面壁１２５ｅを構成するとともに、後面側の左右方向の中央の下縁付近には、軸支部１１２ｉが後方へ突設されている。軸支部１１２ｉは、振り分け部材２６０を連結支持する支持ピン２９０の前端部２９１を、回動可能に支持する（図２９参照）。底壁部１１２ｄの左右方向の中央付近の前端は、流下口１２８の後縁を構成するものである。底壁部１１２ｄの前端の左右方向の中央には、凹溝１１２ｅｖを有して前方側に突出する張出案内部１１２ｅが、突設されている。凹溝１１２ｅｖは、張出案内部１１２ｅの左右方向の中央を、前端まで凹ませて構成されている。張出案内部１１２ｅは、振り分け準備室１２５の底壁１２５ｂ上を左右両側から中央側に転動してきた遊技球Ｂを、凹溝１１２ｅｖに入れて凹溝１１２ｅｖの前端から落下させるようにして、流下口１２８の後縁の左右方向の中央から下方に落下させるものである（図２８，３３参照）。また、左右の側壁部１１２ｆ，１１２ｆには、背面壁部１１２ｂに連なるように、水平方向に沿って延びる三角板状のリブ１１２ｇ，１１２ｇが突設されている。これらのリブ１１２ｇは、前方側から転動してくる遊技球Ｂを、内側端面の転動面１１２ｈに転動させて、底壁部１１２ｄの左右方向の中央に向けて案内するために、配設されている。
【００４２】
なお、上側仕切材１４０は、図１５，２１に示すように、透明なアクリル等の合成樹脂から形成されて、上側装飾材１８０の下部側前面と、左側装飾材１８１と右側装飾材１８２との上部側前面を覆う上側パネル部１４１（図５参照）と、収納前側部１４３と、を備えて構成されている。上側パネル部１４１の左右の下縁側には、上側カバー部１１１の左右の軸支部１１２ｊを挿通させる挿通凹部１４２，１４２が形成されている。上側パネル部１４１の左右の上縁側の前面１４１ａには、本体枠材１１０のフード部１１１ａの前縁１１１ａｆの左右の下端から連なるように、長方形板状の規制壁１４１ｂ，１４１ｃが前方に突設されている（図５参照）。また、収納前側部１４３は、前面壁部１４４、天井壁部１４５、底壁部１４６、側壁部１４７，１４７、内側壁１４８，１４８、及び、リブ１４９，１４９を備えて構成されている（図２９参照）。
【００４３】
収納前側部１４３の天井壁部１４５は、図１２，２８，２９，３３に示すように、上側パネル部１４１の中央の下縁側から山形状に前方に延びて、収納後側部１１２ａの天井壁部１１２ｃとともに、振り分け準備室１２５の流入口１２６，１２７を有した天井壁１２５ａ、を構成している。また、天井壁部１４５は、上面側の左右方向の中央を、最も高い頂部１４５ａとし、頂部１４５ａの左右両側を、転動面１４５ｂ，１４５ｃとして、左右の流入口１２６，１２７に遊技球を案内できるように、左右両端側に向けて下がるように傾斜させている。前面壁部１４４は、天井壁部１４５の前縁から下方に延びて、振り分け準備室１２５の前面壁１２５ｄを構成している。側壁部１４７，１４７は、前面壁部１４４と連なりつつ、天井壁部１４５の左右の縁からそれぞれ下方に延び、収納後側部１１２ａの側壁部１１２ｆとともに、振り分け準備室１２５の左右の側壁１２５ｃ，１２５ｃを構成している。底壁部１４６は、左右の側壁部１４７，１４７相互を連結するとともに前面壁部１４４の下縁側から後方に延びて、収納後側部１１２ａの底壁部１１２ｄとともに、振り分け準備室１２４の流下口１２８を有した底壁１２５ｂ、を構成している。底壁部１４６には、後縁の左右方向の中央に、前方側に凹ませた開口１４６ａを備え、この開口１４６ａが、流下口１２８を構成している。
【００４４】
収納前側部１４３の内側壁１４８，１４８は、左右の流入口１２６，１２７の相互に接近している側の縁付近の下方において、略長方形板状として、前面壁部１４４から底壁部１４６に連なるように前後方向に沿って配設されている。リブ１４９，１４９は、それぞれ、左右の外側の側壁部１４７，１４７と内側の内側壁１４８との間の前面壁部１４４の後面から、底壁部１４６に連なるように、前後方向に沿って、配設されている。これらのリブ１４９，１４９は、略三角板状とし、上面側の転動面１４９ａを利用して、流入口１２６，１２７から流入してくる遊技球Ｂを、側壁部１４７と内側壁１４８との間から、底壁１２５ｂの後縁側に転動させるために、配設されている。
【００４５】
そして、流入口１２６，１２７から流入した遊技球Ｂは、図２８に示すように、リブ１４９，１４９の転動面１４９ａに案内されて、底壁１２５ｂの後縁側に転動し、さらに、リブ１１２ｇ，１１２ｇの転動面１１２ｈにより、底壁１２５ｂの左右方向の中央側に転動し、張出案内部１１２ｅを経て、流下口１２８の左右方向の中央付近から、直下に、落下することとなる。
【００４６】
なお、上側仕切材１４０の天井壁部１４５には、流入口１２６，１２７を通過する遊技球を検知可能な第２大入賞口スイッチ（ＳＷ）３４，３５が配設され、そして、これらの第２大入賞口スイッチ（ＳＷ）３４，３５を収納するスイッチ収納部１４５ｄ，１４５ｄは、上側仕切材１４０の天井壁部１４５だけでなく、本体枠材１１０の天井壁部１１２ｃにわたるエリアまで、延設されている（図１８，２１参照）。
【００４７】
また、本体枠材１１０には、図１２，１８に示すように、棚板部１１２の下方に、左右の連結片１１３の下端付近と連なりつつ、前カバーパネル部１１７の上端の左右両側を連結するように、山形状の振り分け転動路部１１４が、配設されている。振り分け転動路部１１４の上面側は、左右方向の中央を最も高くした頂部１１４ａとして、頂部１１４ａの左右両側を、左右両端側にかけて傾斜して下がる転動面１１４ｂ，１１４ｃとしている。右側の転動面１１４ｂは、振り分け部材２６０により振り分けられた遊技球Ｂが転動するＳルートＳＲの転動ルートＳ１となり、左側の転動面１１４ｃは、振り分け部材２６０により振り分けられた遊技球Ｂが転動するＮルートＮＲの転動ルートＮ１となる。なお、左右の各転動面１１４ｂ，１１４ｃは、転動する遊技球Ｂが前縁から落下しないように、後方の後述する下側仕切材１５０の上横背板部１５１側に、若干、下がるように、形成されている。
【００４８】
左右の転動面１１４ｂ，１１４ｃの左右両端側には、それぞれ、遊技球Ｂを潜らせるＳルート案内路部１１５とＮルート案内路部１１６とが、配設されている。Ｓルート案内路部１１５には、下側仕切材１５０のスイッチ収納部１５１ｃに収納された通過ＳＷ３６が後方側から挿入されて、配設されている（図３，７，１３参照）。Ｎルート案内路部１１６は、図７，１８，４４に示すように、略円筒状として、上端側の流入口１１６ａを左側の転動面１１４ｃの左端側に開口させ、下部側を下方に延ばして、下端の流出口１１６ｂを、左案内壁部１１８の上方で、後方側に向けて、開口させている。
【００４９】
下側仕切材１５０は、図１８〜２０に示すように、本体枠材１１０と同様な透明なアクリル等の合成樹脂から形成されて、本体枠材１１０の後方に配置される略円環状としている。下側仕切材１５０は、本体枠材１１０の振り分け転動路部１１４の後面側に当設して配置される上横背板部１５１と、上横背板部１５１の左右両端付近から略半円環状に連なるように下方に突出する下環状背板部１５４と、を備えて構成されている。上横背板部１５１は、振り分け転動路部１１４の転動面１１４ｂ，１１４ｃを転動する遊技球Ｂが後方に落下しないように、転動面１１４ｂ，１１４ｃの後縁から上方に突出するように配設されている（図１２参照）。振り分け転動路部１１４の頂部１１４ａ付近には、上横背板部１５１と振り分け部材２６０の揺動する振り分け案内板２８０との干渉を防止するように、下方へ凹む凹部１５１ａが形成され、凹部１５１ａの上縁周縁には、後方に突出するフランジ部１５１ｂが形成されている。
【００５０】
上横背板部１５１の右縁には、通過ＳＷ３６を収納するスイッチ収納部１５１ｃが配設され、さらに、その右下方には、上方を開口させて、遊技球Ｂを後方に転動させるＳルート案内樋部１５２が形成されている（図１３参照）。Ｓルート案内樋部１５２は、流下路形成部材１３０とともに、ＳルートＳＲの流下ルートＳ２を構成するものである。この流下ルートＳ２は、転動ルートＳ１からの遊技球Ｂを移送機構４００の振り分け共用移送体４０９（リング状回転体４１０）に案内するものであり（図６０参照）、実施形態の場合、リング状回転体４１０の後述する球移送室４６５の回転移動軌跡の前方側で、重なっている（図６参照）。
【００５１】
流下路形成部材１３０は、図２２，６０に示すように、ＳルートＳＲに振り分けられた遊技球Ｂが、直ちに、振り分け共用移送体４０９に流下しないように、配設されている。すなわち、大当たりとなる第２Ｖ入賞口３３への入賞の確率の高いＳルートＳＲへの遊技球の振り分けを、画像表示装置４０による演出によって、一層、遊技者に楽しませるように、画像表示装置４０の演出時間を確保するために、流下路形成部材１３０が、配設されている。この流下路形成部材１３０は、略水平方向に沿って配設される略長方形板状の転動壁部１３１と、転動壁部１３１と直交するように転動壁部１３１の流入口１３２から下方に延びる流下筒部１３３と、を備えて構成されている。転動壁部１３１は、本体枠材１１０のＳルート案内路部１１５からの遊技球Ｂを流下筒部１３３の流入口１３２に案内する凹溝状の案内樋部１３１ａを備えている。流下筒部１３３は、下端の排出口１３４を遊技球Ｂの直径寸法ＢＤより僅かに大きな内径寸法とするとともに、流入口１３２から排出口１３４までの内周面１３３ａを、排出口１３４付近で急激に狭めるように、構成されている。この流下筒部１３３の内周面１３３ａの形状により、流入口１３２から流入した遊技球Ｂは、排出口１３４付近で、渦巻状に内周面１３３ａを転動する状態となり、流下路形成部材１３０での通過時間を長くすることとなる。そして、排出口１３４から下方に落下した遊技球Ｂは、下方のＳルート案内樋部１５２を経て、振り分け共用移送体４０９に流下する。
【００５２】
なお、流下路形成部材１３０の前縁には、装飾材１３６が組み付けられている（図１３，１５参照）。また、流下路形成部材１３０の流下筒部１３３には、補強のためのリブ１３３ｂと、Ｓルート案内樋部１５２に嵌合される略四角枠状の接続筒部１３３ｃとが、配設されている。
【００５３】
下環状背板部１５４は、本体枠材１１０の左案内壁部１１８と右案内壁部１１９との転動面１１８ａ，１１９ａを転動する遊技球Ｂの後方への落下を防止するＮルート案内背板部１５３を構成するものである（図８，１０，４８参照）。そのため、下環状背板部１５４は、図１８〜２０に示すように、左案内壁部１１８の後面とその内周側を覆う左側部１５４ａと、右案内壁部１１９の後面とその内周側を覆う右側部１５４ｂと、を備えた半割り円環状に構成されている。そして、下環状背板部１５４の左右方向の中央、すなわち、左側部１５４ａと右側部１５４ｂとの間には、下方に凹む凹部１５４ｃが配設され、凹部１５４ｃの下縁には、左側部１５４ａと右側部１５４ｂとを連結する連結底板部１５４ｄが、前方側に突設されている。連結底板部１５４ｄの上面側には、本体枠材１１０の前カバーパネル部１１７の下端付近の後面に固着される底板１２０が、配設され、底板１２０は、連結底板部１５４ｄに支持されつつ、前カバーパネル部１１７の取付ボス１１７ｃ，１１７ｃにねじ止めされている。
【００５４】
なお、底板１２０は、本体枠材１１０の前カバーパネル部１１７における左案内壁部１１８と右案内壁部１１９との転動面１１８ａ，１１９ａの端面１１８ｂ，１１９ｂ相互を連結するように、前カバーパネル部１１７と下環状背板部１５４との間に配設されている。この底板１２０は、後縁側の左右に、堰１２０ｄ，１２０ｄを設け、堰１２０ｄ，１２０ｄ間に後方に突出させた案内樋部１２０ｃを配設させている。そして、底板１２０の上面側の遊技球Ｂの転動面１２０ａは、左右方向の中央付近で案内樋部１２０ｃ側に連なるように、後方に延びる凹溝１２０ｂを設けて構成されている。底板１２０の後端には、前カバーパネル部１１７の各取付ボス１１７ｃにねじ止めされる取付片部１２０ｅが下方に突設されるとともに、底板１２０の前端面には、左右両縁付近と中央とに、前カバーパネル部１１７の各位置決め孔１１７ｅに嵌合される位置決め突起１２０ｆが、配設されている。この底板１２０では、上面の転動面１２０ａの凹溝１２０ｂにより、本体枠材１１０の左案内壁部１１８や右案内壁部１１９の転動面１１８ａ，１１９ａから転動してきた遊技球Ｂを、後方に向けてＮルート振り分け機構７００側に移送することとなる（図４９参照）。
【００５５】
また、この底板１２０は、転動面１２０ａの寸法精度を確保して、Ｎルート振り分け機構７００の後述する振り分け部材７１０側の後方へ正確に遊技球Ｂを転動できるように、大きな形状の本体枠材１１０や下側仕切材１５０とは別体として形成し、本体枠材１１０に組み付けられている。ちなみに、透明なアクリル等の合成樹脂材料からなって大きな略環状の本体枠材１１０や下側仕切材１５０では、成形収縮等の歪が生じ易く、薄肉かつ簡便に、振り分け部材７１０の後述する振り分け案内板７２０の頂部７１５側へ転動させる精度のよい遊技球Ｂの転動面１２０ａを、形成し難いからである。
【００５６】
下環状背板部１５４の左側部１５４ａにおける上端付近の内周縁には、図１９，２０に示すように、略上下方向に沿う略長方形板状のＮルート案内壁部１５６が、前方に突設されている。このＮルート案内壁部１５６は、本体枠材１１０のＮルート案内路部１１６における後向きに開口した流出口１１６ｂから流出する遊技球が、ステージ６１０上に落下することを防止して、左案内壁部１１８の転動面１１８ａ上を転動できるようにするものである。この左案内壁部１１８を転動するルートは、ＮルートＮＲの流下ルートＮ２を構成して、実施形態の場合、リング状回転体４１０の後述する球移送室４６５の回転移動軌跡の前方側で、重なっている（図６参照）。
【００５７】
下環状背板部１５４の右側部１５４ｂの下部側の後面には、図１９，２０に示すように、略長方形板状のＳルート案内リブ部１５５が、後方に突設されている。このＳルート案内リブ部１５５は、左縁１５５ｂを、右縁１５５ａより、若干下方に配置させるとともに、後方に突出させている。さらに、Ｓルート案内リブ部１５５は、後述するカバーパネル５００のＳルート用カバー部５１０における流出用樋部５４３の転動壁５４５の上方で、かつ、後端面１５５ｃを、転動壁５４５の前縁５４５ａ側に接近して、配設されている（図１１，４１，４２参照）。そして、このＳルート案内リブ部１５５の後端面１５５ｃは、振り分け共用移送体４０９により移送されてＳルート用流出路部５４０から流出して転動壁５４５上を転動する遊技球Ｂを、右縁１５５ａ側から左縁１５５ｂ側に当設させつつ案内して、Ｓルート振り分け機構６００のステージ６１０に移送することとなる。
【００５８】
下環状背板部１５４の左側部１５４ａと右側部１５４ｂとの下縁付近には、本体枠材１１０の前カバーパネル部１１７の取付ボス１１７ｄ，１１７ｄにねじ止めされる取付フランジ１５７が、形成されるとともに、各取付フランジ１５７の後面には、位置決め突起１５８が後方に突設されている。これらの２本の位置決め突起１５８は、カバーパネル５００の各位置決め孔５０１（図９，３８参照）に挿入される。
【００５９】
センター飾り組付体１００の上側後上カバー材１６０は、図１４，１６に示すように、上側装飾材１８０の後部側の上方を覆うものであり、上側後上カバー材１６０の後方には、上側装飾材１８０の後面に結合される上側背面部材１７５が、配設されている。この上側背面部材１７５には、上側装飾材１８０に配設されたＬＥＤ等のターミナルが配設されている。
【００６０】
なお、上側後上カバー材１６０の後面の上端付近には、後方へ突出する位置決め突起１６１が配設され、この位置決め突起１６１は、下側仕切材１５０の２本の位置決め突起１５８とともに、カバーパネル５００の対応する位置に配置された位置決め孔５０１（図示せず）に挿入される。これらの位置決め突起１５８，１６１は、センター飾り組付体１００の各取付フランジ１１０ａ，１１０ｃを盤本体構成部材群７０の前側部材８０にねじ止めする際、カバーパネル５００（取付ベース８７）の位置決め孔５０１に挿入させて、盤本体構成部材群７０に対するセンター飾り組付体１００の位置決めを行えるように、配設されている。
【００６１】
センター飾り組付体１００の上側後下カバー材１７０は、図１５，２９に示すように、上側装飾材１８０の下部側の後面から振り分け準備室１２５の後方側にかけて配置されて、後端の下側には、軸支部１７１が前方へ突設されている。軸支部１７１は、振り分け部材２６０を連結支持する支持ピン２９０の後端部２９２を、回動可能に支持する。
【００６２】
第２大入賞口３１を開閉させる開閉部材１９０（１９０Ｌ，１９０Ｒ）は、図５〜８，１０に示すように、上側仕切材１４０の上側パネル部１４１の前面１４１ａ側で、振り分け準備室１２５を間にして配設されている。開閉部材１９０（１９０Ｌ，１９０Ｒ）は、振り分け準備室１２５の左右の側壁１２５ｃ，１２５ｃと、左側装飾材１８１及び右側装飾材１８２の庇部１８１ａ，１８２ａの上端と、の間から、上側パネル部１４１の前面１４１ａ側における左右の規制壁１４１ｂ，１４１ｃまで、上方に延びるように、配設されている。左右の開閉部材１９０Ｌ，１９０Ｒは、図２３，２４に示すように、下部の元部１９１側に、後方に延びる回動軸１９５の前端１９５ａを、結合させて構成され、第２大入賞口３１の開口時、上端側の先端１９２を相互に離すように、換言すれば、先端１９２を近傍の規制壁１４１ｂ，１４１ｃから離すように、左右方向の外方に回動させることとなる（図６，８，１０，２４参照）。開口時には、遊技球Ｂは、規制壁１４１ｂ，１４１ｃと開閉部材１９０Ｌ，１９０Ｒとの間において、開閉部材１９０Ｌ，１９０Ｒの拡開した平面状の転動面１９３を転動し、第２大入賞装置３０内に流入する。そして、開閉部材１９０Ｌ，１９０Ｒにおける元部１９１から伸びた各先端１９２が、規制壁１４１ｂ，１４１ｃに接近するように回転すれば、第２大入賞口３１が閉じ（図５，７参照）、この付近のセンター役物２５の周囲を転動する遊技球は、上側カバー部１１１の前縁１１１ａｆ、規制壁１４１ｂ，１４１ｃ、開閉部材１９０Ｌ，１９０Ｒの曲面状の外側面１９４、及び、左側装飾材１８１や右側装飾材１８２の庇部１８１ａ，１８２ａ、に規制されて、第２大入賞装置３０内に入賞することなく、遊技領域１３を下方に転動していくこととなる。
【００６３】
各開閉部材１９０Ｌ，１９０Ｒを回動させる開閉駆動機構２００は、図２３，２４に示すように、各開閉部材１９０Ｌ，１９０Ｒの元部１９１から後方に延びる回動軸１９５，１９５に対応して、それぞれ、配設されている。左右の開閉駆動機構２００は、相互に左右対称形として、駆動源としての電磁ソレノイド２１０、戻しばね２２０、揺動レバー２３０、及び、揺動アーム２４０、を備えて構成されている。これらの開閉駆動機構２００の各部品は、本体枠材１１０の背面壁部１１２ｂと、背面壁部１１２ｂの後方で背面壁部１１２ｂに結合される背面パネル２４５と、の間に配設されている（図１５参照）。なお、背面パネル２４５は、アクリル等の合成樹脂から形成され、背面パネル２４５の後方には、板金製の補強プレート２４７が取り付けられている。そして、左右の回動軸１９５，１９５は、それぞれ、背面壁部１１２ｂに設けられた軸支部１１２ｊに回動自在に支持され、各軸支部１１２ｊは、上側仕切材１４０の上側パネル部１４１の下縁側に形成されている挿通凹部１４２に収納されて、開閉部材１９０の元部１９１まで延びるように、回動軸１９５の前端１９５ａ側を前方に挿通させている。
【００６４】
電磁ソレノイド２１０は、背面パネル２４５に保持されて、上下動するプランジャ２１１を下方へ突出させ、プランジャ２１１の下端には、円盤状の係止頭部２１２が配設されている。この電磁ソレノイド２１０は、ＯＮ動作時、プランジャ２１１を上方へ引き込み、ＯＦＦ動作時、係止頭部２１２を押圧するコイルばねからなる戻しばね２２０が、プランジャ２１１を下方に引き出して、原位置に復帰させることとなる。
【００６５】
揺動レバー２３０は、元部２３１側を左右方向の外方側（センター役物２５の左右方向の中央から外れる方向側）に配置させ、先端部２３４側を、回動軸１９５を越えた左右方向の内方側（センター役物２５の左右方向の中央側）に配置させるように、略左右方向に沿って配置されている。また、揺動レバー２３０は、先端部２３４側を上下に揺動可能に、元部２３１側を、本体枠材１１０の背面壁部１１２ｂや背面パネル２４５に軸支させている。先端部２３４には、前後方向に貫通する係止孔２３５が配設されている。元部２３１と先端部２３４との間の中間部位には、前後方向の断面をＬ字状として、底壁部２３２ａと底壁部２３２ａの前縁側から上方に延びる前壁部２３２ｃとを有した係止部２３２が、配設されている。この係止部２３２の前壁部２３２ｃには、後方へ突出する突起２３３が配設されている。そして、突起２３３と底壁部２３２ａの上面２３２ｂとの間に、プランジャ２１１の係止頭部２１２が係止されている。そのため、電磁ソレノイド２１０が、ＯＮ動作されれば、プランジャ２１１が上方に引き込まれ、その先端（下端）の係止頭部２１２が突起２３３を引き上げて、揺動レバー２３０が、元部２３１を回動中心として、先端部２４２を上方に引き上げる。さらに、電磁ソレノイド２１０が、ＯＦＦ動作されれば、戻しばね２２０の付勢力により、係止頭部２１２が係止部２３２の底壁部２３２ａを押し下げて、底壁部２３２ａを背面パネル２４５の底面２４５ａに当接させることから、揺動レバー２３０が原位置に復帰する。
【００６６】
揺動アーム２４０は、元部２４１が回動軸１９５の後端１９５ｂと連結され、元部２４１から延びた先端部２４２が、揺動レバー２３０の先端部２３４付近の前方側に配置させている。先端部２４２には、揺動レバー２３０の先端部２３４に設けられた係止孔２３５に挿入される係合ピン２４３が、配設されている。この揺動アーム２４０では、揺動レバー２３０が電磁ソレノイド２１０のＯＮ動作時によって先端部２３４を上昇させた際、係止孔２３５の内周面２３５ａにより係合ピン２４３が押し上げられ、その結果、先端部２４２が元部２４１を回動中心として上昇回転し、回動軸１９５を回転させることとなり、開閉部材１９０が開く。その後、電磁ソレノイド２１０がＯＦＦ動作されれば、戻しばね２２０の付勢力により、揺動レバー２３０や揺動アーム２４０が上記と逆の回転となり、開閉部材１９０が閉じる。すなわち、電磁ソレノイド２１０のＯＮ動作時、開閉部材１９０Ｌ，１９０Ｒが第２大入賞口３１を開き、電磁ソレノイド２１０のＯＦＦ動作時、開閉部材１９０Ｌ，１９０Ｒが第２大入賞口３１を閉じることとなる。
【００６７】
なお、電磁ソレノイド２１０のＯＮ，ＯＦＦによる開閉部材１９０Ｌ，１９０Ｒの開閉は、実施形態の場合、１回の小当たり時において、２回開閉するものである。そしてさらに、最初の開閉が、短い時間で行われ、２回目の開閉時の開閉部材１９０Ｌ，１９０Ｒの開き時間が、最初の開き時間より、長く設定されている。さらに、実施形態の場合には、２回目の開閉部材１９０Ｌ，１９０Ｒの開き時間は、第１始動入賞装置４８での小当たりより、第２始動入賞装置５０での小当たり時の方が、長く設定されている。
【００６８】
振り分け部材２６０は、図４，２５に示すように、振り分け機構２５０の構成部材であり、振り分け機構２５０は、センター飾り組付体１００に配設される振り分け部材２６０と、振り分け部材２６０を左右に揺動させる振り分け揺動機構３１０と、を備えて構成されている。振り分け揺動機構３１０は、ベース側構造体３００に組み付けられている。振り分け機構２５０は、第２大入賞口３１に入賞してきた遊技球を、ＳルートＳＲとＮルートＮＲとに振り分けるものである（図３３参照）。
【００６９】
振り分け部材２６０は、図２５〜２７に示すように、揺動本体部２７０、連結支持部２７５、振り分け案内板２８０、及び、支持ピン２９０、を備えて構成されている。揺動本体部２７０は、振り分け案内板２８０より左右の幅寸法、前後の奥行寸法、及び、上下の厚さ寸法（高さ寸法）を大きな寸法とした飛行機形状に形成され、前後方向に沿って延びる断面略楕円形の胴部２７０ａと、胴部２７０ａの後部側から左右に突出する主翼２７０ｂ，２７０ｂと、胴部２７０ａの前部側から左右に突出する補助翼２７０ｃ，２７０ｃと、胴部２７０ａの後端付近から上方に延びる尾翼２７０ｄと、を備えて構成されている。揺動本体部２７０は、胴部２７０ａの前端２７０ａｆを、略半球状（詳しくは、左右方向に沿った縦断面を楕円球状に押し潰した形状）として突出させており、揺動本体部２７０の後端２７１には、前方側に凹む嵌合孔２７２が形成されている。
【００７０】
連結支持部２７５は、嵌合孔２７２を有した揺動本体部２７０の後端２７１付近から上方に延びて、上端に、前後方向に伸びる略円筒状の枢支部２７６を備えて構成されている。枢支部２７６は、前後方向に沿って配設される支持ピン２９０を挿通させて支持している。そして、枢支部２７６から突出する支持ピン２９０の前端部２９１と後端部２９２とが、それぞれ、本体枠材１１０の軸支部１１２ｉと上側後下カバー材１７０の軸支部１７１とに、回動可能に支持されている（図２８，２９参照）。そのため、揺動本体部２７０は、枢支部２７６に保持された支持ピン２９０が軸支部１１２ｉ，１７１に支持されて、支持ピン２９０を回動中心として、左右に揺動可能に配設されている（図３３参照）。
【００７１】
なお、揺動本体部２７０は、後端２７１の嵌合孔２７２に、振り分け揺動機構３１０の揺動アーム３６０における嵌合ピン３６３が嵌挿され、揺動アーム３６０の揺動により、連動して、左右に揺動することとなる。
【００７２】
振り分け案内板２８０は、前後方向に延びる略長方形板状として、元部２８１側を、揺動本体部２７０の胴部２７０ａの下面２７３にねじ等を利用して固着させて、先端部２８５側を胴部２７０ａから前方に突出させている。
【００７３】
この振り分け案内板２８０は、左右方向に沿った縦断面形状を左右に長い長方形としているものの、胴部２７０ａから前方側に離脱する付近で、ねじれ部（段差）２８３を設けて先端部２８５側を、前方から見て、反時計回り方向に、僅かにねじっている。すなわち、揺動本体部２７０の揺動時の最下点（左右方向に揺動する際の左右方向の中央に配置された中央位置）ＣＰでの配置時、元部２８１側での左右方向に沿った縦断面形状は、長辺２８１ａ，２８１ａ相互が左右方向の水平方向に沿わせた長方形としているものの、先端部２８５側での左右方向の断面形状は、長辺２８６の右縁２８６ａ側が左縁２８６ｂ側より上方位置に配置される長方形としている。先端部２８５の元部２８１に対する捻れ量（段差量）Ｔｈは、先端部２８５のねじれの視認性を低下できるように、振り分け案内板２８０の厚さ寸法Ｇｔより、小さく設定されている。
【００７４】
さらに、このねじられた先端部２８５は、振り分け準備室１２５の流下口１２８の直下に配設されるとともに、揺動本体部２７０が左右に揺動しても、その上面の振り分け面２８５ａを平面状として、右縁２８６ａ側や左縁２８６ｂ側を、流下口１２８から落下する遊技球Ｂと当接可能となるように、配設されている（図３３参照）。そのため、先端部２８５が、振り分け面２８５ａを右側に向けていれば、落下する遊技球をＳルートＳＲの転動ルートＳ１となる振り分け転動路部１１４の転動面１１４ｂ側に、転動させ、振り分け面２８５ａを左側に向けていれば、落下する遊技球をＮルートＮＲの転動ルートＮ１となる振り分け転動路部１１４の転動面１１４ｃ側に、転動させることとなる。
【００７５】
実施形態の場合、案内板２８０は、左右へ揺動しても流下する遊技球Ｂを上面の振り分け面２８５ａで跳ね返し可能に、左右方向の幅寸法Ｇｗを、遊技球Ｂの直径寸法ＢＤである１１ｍｍより大きな約１６ｍｍ程度とし、耐久性を有して遊技球Ｂを跳ね返し可能な強度を確保できるように、厚さ寸法Ｇｔを約２ｍｍとしている。また、実施形態の先端部２８５では、高入賞率ルートＳＲ側の右縁２８６ａ側だけに段差２８３を設けるような形態となるように、低入賞率ルートＮＲ側の左縁２８６ｂ側を、元部２８１側から前後方向に略直線状に連ならせて、左縁２８６ｂ側より大きく、右縁２８６ａ側を捻っている形態としている。この先端部２８５の元部２８１に対する捻れ量Ｔｈは、実施形態の場合、約１．５ｍｍ、換言すれば、案内板２８０の先端部２８５の元部２８１に対するねじり角θｔを、約４．６°としている。また、段差２８３は、揺動本体部２７０の前端２７０ａｆの下面２７３側近傍に、接近して配設されている。
【００７６】
なお、この振り分け部材２６０は、揺動本体部２７０を、赤色等の着色されたＡＢＳ樹脂やポリアセタール等の合成樹脂材料自体の色や塗装で、彩色しているものの、振り分け案内板２８０は、下方の本体枠材１１０の振り分け転動路部１１４や下側仕切材１５０の上横背板部１５１と同様に、アクリル樹脂等の透明な合成樹脂材料から形成されている。
【００７７】
［第２大入賞装置の構成部材であるベース側構造体の説明］
振り分け部材２６０を揺動させる振り分け機構２５０の振り分け揺動機構３１０は、実施形態の場合、センター飾り組付体１００側でなく、ベース側構造体３００側に配設されている（図４，１７，２５参照）。振り分け揺動機構３１０は、図３０に示すように、ケース３２０、駆動源としての駆動モータ３２５、駆動モータ３２５の駆動軸３２６に取り付けられた駆動歯車３３２、及び、揺動アーム３６０の揺動の速度を変える早戻り機構３３０、を備えて構成されている。ケース３２０は、駆動モータ３２５や早戻り機構３３０の種々の歯車を収納保持して、盤本体構成部材群７０の支持部材８９に取り付けられている。なお、この振り分け機構２５０は、第２大入賞口３１から入賞して流下する遊技球Ｂを、左右に揺動する振り分け部材２６０を利用して、左右のＮルート（第１分岐ルート）ＮＲとＳルート（第２分岐ルート）ＳＲに振り分ける左右振り分け機構、を構成している。
【００７８】
早戻り機構３３０は、第１従動歯車３３３、第２従動歯車３３６、揺動梃３５０、揺動アーム３６０、及び、ばね（捩りコイルばね）３６５、を備えて構成されている。第１従動歯車３３３は、ケース３２０に回動可能に軸支されて、駆動歯車３２７に噛合する小歯車部３３４と、大歯車部３３５と、を備えて構成されている。第２従動歯車３３６は、ケース３２０に回動可能に軸支されて、大歯車部３３５に噛合している。また、第２従動歯車３３６には、回動中心からずれた位置で後方に突出するクランクピン３４０が、配設されている。
【００７９】
揺動アーム３６０は、上端側の元部３６１に、ケース３２０に回動可能に軸支される連結軸３５５を固着させて、ケース３２０の前面側に突出するように配設され、下端側の先端３６２に、揺動本体部２７０の嵌合孔２７２に嵌挿させる嵌合ピン３６３を前方に突設させて、構成されている。連結軸３５５は、軸方向を前後方向に沿わせて、揺動梃３５０の下端の元部３５１に一体的に結合されている。ばね３６５は、揺動アーム３６０のガタツキを防止可能に、揺動アーム３６０とケース３２０とを連結するように配設されている。
【００８０】
揺動梃３５０は、元部３５１から離れる先端部３５２を上方に伸ばして、先端部３５２までのエリアに、クランクピン３４０を摺動させる長孔状の摺動溝３５３を、配設させている。
【００８１】
この早戻り機構３３０では、図３１に示すように、駆動モータ３２５が作動されて、駆動軸３２６と駆動歯車３２７とが、前面側から見て、反時計回り方向に回転すれば、駆動歯車３２７に小歯車部３３４を噛合させている第１従動歯車３３３は、時計回り方向に回転する。そして、第１従動歯車３３３の大歯車部３３５に噛合させている第２従動歯車３３６は、反時計回り方向に回転する。すると、図３１，３２に示すように、第２従動歯車３３６に設けられたクランクピン３４０は、第２従動歯車３３６の回転軸３３７を回転中心Ｏ１として、揺動梃３５０の摺動溝３５３内を往復するように摺動しつつ、反時計回り方向に回転する。そのため、揺動梃３５０は、連結軸３５５を回転中心Ｏ２として、左右に揺動する。
【００８２】
そして、クランクピン３４０が、図３１から図３２のＡ，Ｂに示すように、回転中心Ｏ１の直下の地点Ｐ０から直上の地点Ｐ２に向かうように、回転中心Ｏ１を中心とした反時計回りをする際、揺動梃３５０は、連結軸３５５を回転中心Ｏ２として、先端部３５２を、右方側に回転させた後、原位置に復帰する。この時、揺動アーム３６０の嵌合ピン３６３と嵌合ピン３６３を後端に嵌めた振り分け部材２６０とは、連結軸３５５を回転中心Ｏ２として、左方側に回転した後、原位置に復帰する（図３３のＡの二点鎖線→実線→二点鎖線参照）。さらに、クランクピン３４０が、図３２のＢ，Ｃと図３１に示すように、回転中心Ｏ１の直上の地点Ｐ２から直下の地点Ｐ０に向かうように、回転中心Ｏ１を中心として反時計回りする際、揺動梃３５０は、連結軸３５５を回転中心Ｏ２として、先端部３５２を、左方側に回転させた後、原位置に復帰する。この時、揺動アーム３６０の嵌合ピン３６３と振り分け部材２６０とは、連結軸３５５を回転中心Ｏ２として、右方側に回転した後、原位置に復帰する（図３３のＢの二点鎖線→実線→二点鎖線参照）。
【００８３】
また、揺動梃３５０の右方側、あるいは、左方側への回転後に、復帰する地点は、クランクピン３４０の回転中心Ｏ１を中心とする円形の回転軌跡に対して、回転中心Ｏ２から伸びる直線Ｌ１，Ｌ２が法線となる位置に、クランクピン３４０が配置される位置、すなわち、地点Ｐ１と地点Ｐ３である。さらに、このクランクピン３４０が地点Ｐ１から地点Ｐ２を経て地点Ｐ３に向かう際には、振り分け部材２６０は、回転中心Ｏ２を中心として、最も左端ＬＰに配置された後、最も右端ＲＰに回転する状態となる。また、このクランクピン３４０が地点Ｐ３から地点Ｐ０を経て地点Ｐ１に向かう際には、振り分け部材２６０は、回転中心Ｏ２を中心として、最も右端ＲＰに配置された後、最も左端ＬＰに回転する状態となる。そして、クランクピン３４０の地点Ｐ１から地点Ｐ２を経て地点Ｐ３に向かう際の回転軌跡は、地点Ｐ３から地点Ｐ０を経て地点Ｐ１に向かう際の回転軌跡より長く、クランクピン３４０は、回転中心Ｏ１を中心として、等速回転運動している。そのため、クランクピン３４０の地点Ｐ３から地点Ｐ０を経て地点Ｐ１に向かう際の振り分け部材２６０が右端ＲＰから左端ＬＰに移動する時間は、クランクピン３４０の地点Ｐ１から地点Ｐ２を経て地点Ｐ３に向かう際の振り分け部材２６０の左端ＬＰから右端ＲＰに移動するより、時間が短くなる。すなわち、振り分け部材２６０は、左端ＬＰから右端ＲＰに右向きに移動するより、右端ＲＰから左端ＬＰに左向きに移動する方が、早戻りすることとなる。
【００８４】
そして、実施形態では、振り分け案内板２８０の先端部２８５が、振り分け面２８５ａを低入賞率ルートＮＲの転動ルートＮ１側となる左向きにねじっている。そのため、振り分け準備室１２５の流下口１２８から流下してくる遊技球Ｂは、振り分け部材２６０が左右対称に揺動しても、このねじれによって、実質的に、ＳルートＳＲの転動ルートＳ１側よりＮルートＮＲの転動ルートＮ１側へ転動し易くなる（図２６，３３参照）。
【００８５】
但し、振り分け案内板２８０は、揺動本体部２７０より小さな形状とするとともに、先端部２８５の捻れ量Ｔｈを案内板２８０の厚さ寸法Ｇｔより小さくして、その先端部２８５のねじれを直ちに視認し難くしており、振り分け準備室１２５の流下口１２８から流下してくる遊技球がＳルートＳＲの転動ルートＳ１側とＮルートＮＲの転動ルートＮ１側とへ均等に転動するような錯覚を、遊技者に与えている。
【００８６】
さらに、実施形態では、振り分け部材２６０を揺動させる振り分け揺動機構３１０が、早戻り機構３３０を設けて構成されている。そのため、早戻り機構３３０の早戻り時には、ねじれて傾斜した振り分け案内板２８０は、振り分け部材２６０の右端ＲＰから左端ＬＰへの回転移動に伴なって回転移動して、上面の振り分け面２８５ａの左縁２８６ｂ側を右縁２８６ａより高くする時間、換言すれば、振り分け面２８５ａを右向きにする時間、を短くし、また、瞬間的に、左縁２８６ｂ側を右縁２８６ａより高して、その後、振り分け部材２６０の左端ＬＰから右端ＲＰへの回転移動に伴なって回転移動して、左縁２８６ｂを低くするように回転する。そのため、実施形態では、早戻り機構３３０を併用して、実質的に、振り分け面２８５ａを右向きにしている時間を確実に短くしており、先端部２８５のねじりと早戻り機構３３０との併用により、振り分け準備室１２５の流下口１２８から流下してくる遊技球Ｂの振り分け割合に関し、安定して、ＳルートＳＲの転動ルートＳ１側よりＮルートＮＲの転動ルートＮ１側へ転動する割合（確率）を、高くし、換言すれば、ＮルートＮＲの転動ルートＮ１側よりＳルートＳＲの転動ルートＳ１側へ転動する割合を、低くしている。
【００８７】
さらにまた、実施形態の振り分け案内板２８０では、透明材から形成されているため、遊技者は、その先端部２８５のねじれを直ちに認識し難く、遊技の趣向性を阻害しない。さらにまた、実施形態では、振り分け案内板２８０の周囲の部材、すなわち、振り分け転動路部１１４や上横背板部１５１も、振り分け案内板２８０と同様な透明な合成樹脂材料から形成されて、光等の屈折や反射により、先端部２８０の形状を認識し難く、さらに、ねじれの段差２８３が、右縁２８６ａ側だけに設けるような形態とし、かつ、揺動本体部２７０の略半球状に突出した前端２７０ａｆの下面２７３側に隠れるように、配設されていることともあいまって、遊技者は、先端部２８５のねじれが一層認識し難くなって、遊技の趣向性を阻害しない（図１２参照）。
【００８８】
なお、振り分け案内板２８０を備えた振り分け部材２６０の揺動は、既述の開閉部材１９０の開閉や後述するＮルート振り分け部材７１０とともに、小当たりを契機として、一定時間、作動されることとなる。実施形態の場合、この作動時間は、第２大入賞装置３０に入賞した遊技球が第２大入賞装置３０から排出されるまでの時間であり、具体的には、第２大入賞装置３０に入賞した遊技球が、第２大入賞口ＳＷ３４，３５をＯＮさせた後、第１Ｖ入賞口ＳＷ３７や第２Ｖ入賞口ＳＷ３８、あるいは、排出口ＳＷ３９のいずれかをＯＮさせるまでを、確実に確保できる時間、である。
【００８９】
［ベース側構造体の構成部材である移送機構の説明］
ベース側構造体３００の移送機構４００は、図１７，３４に示すように、リング状回転体４１０と、リング状回転体４１０を回転させる回転駆動機構４７０と、を備えて構成されている。リング状回転体４１０は、ＳルートＳＲとＮルートＮＲとに振り分けた遊技球を、ＳルートＳＲとＮルートＮＲとにおいて、それぞれ、移送できる振り分け共用移送体４０９を構成するものであり、画像表示装置４０の表示画面４１の前方側の周囲で、前後方向に沿った回転中心軸Ｏ３を中心とし、前方側から見て、常時、一定方向（実施形態では、時計回り方向）に回転している。すなわち、このリング状回転体４１０は、後述する振り分け部材６２０とともに、遊技機１の電源ＯＮ時から、常時、回転駆動されることととなる。
【００９０】
なお、実施形態では、振り分け共用移送体４０９（リング状回転体４１０）は、図５，６に示すように、前方側から見て、回転する移送体４０９の下端４０９ａを基準とした（換言すれば、回転中心軸Ｏ３を中心とした）左右における回転方向側の領域を、実施形態では、左側の回転領域を、ＮルートＮＲでの遊技球を移送するルート（後述するＶ入賞移送ルート）Ｎ５に利用し、回転方向と逆側の右側の領域を、ＳルートＳＲでの遊技球を移送するルート（後述する移送ルート）Ｓ３に利用している。
【００９１】
このリング状回転体４１０は、図１７，３４，３５に示すように、ベース側構造体３００の略円環状のカバーパネル５００の後方側に配置されて、後面側の円環状のベース板４１１、ベース板４１１の後方に配置される円環状のリングギヤ４２０、及び、ベース板４１１の前面側に配置される仕切枠体４３０、を備えて構成されている。
【００９２】
回転駆動機構４７０は、リング状回転体４１０の右上において、盤本体構成部材群７０の支持部材８９に取り付けられる駆動源としての駆動モータ４８０、駆動モータ４８０の駆動軸４８１に固着される駆動歯車４８３、駆動歯車４８３に小歯車部４８６を噛合させて支持部材８９に回動自在に軸支させている従動歯車４８５、支持ローラ４９０、及び、ガイドブロック４９５、を備えて構成されている。
【００９３】
支持ローラ４９０は、リング状回転体４１０の左右の下方側の２箇所において、回動自在に支持部材８９に保持されて配設されている。これらの支持ローラ４９０は、リング状回転体４１０のベース板４１１の外周縁のガイドレール部４１２を収納させて支持可能な凹溝４９１を備え、回転時のリング状回転体４１０を、凹溝４９１を利用して、下方から支持している。また、ガイドブロック４９５は、リング状回転体４１０の左右の上方側において、支持部材３９に取り付けられて配設されている。各ガイドブロック４９５は、回転時のリング状回転体４１０のベース板４１１におけるガイドレール部４１２を摺動可能な凹溝４９６を備え、凹溝４９６を利用して、リング状回転体４１０の回転時の前後方向への傾きを規制し、リング状回転体４１０の回転を案内している。
【００９４】
そして、従動歯車４８５が、大歯車部４８７を、リング状回転体４１０のリングギヤ４２０の外周の歯溝４２１に噛合させている。そのため、駆動モータ４８０が、駆動軸４８１と駆動歯車４８３とを回転させれば、駆動歯車４８３に小歯車部４８６を噛合させている従動歯車４８５が回転し、従動歯車４８５の大歯車部４８７にリングギヤ４２０の歯溝４２１を噛合させているリング状回転体４１０が、支持ローラ４９０やガイドブロック４９５に支持されて、回転中心軸Ｏ３を中心として、一定方向（実施形態では、時計回り方向）に、回転することとなる。
【００９５】
このリング状回転体４１０では、ベース板４１１の前面側に固定される仕切枠体４３０が、内周側の円筒状の内側筒部４３１から、回転中心軸Ｏ３を中心として、放射状に多数の羽根板４４０を均等に突設させて、構成されている。各羽根板の板厚寸法ＦＴ１は、遊技球Ｂの直径寸法ＢＤより小さく設定されている。内側筒部４３１は、後端４３１ｂを、ベース板４１１の内側まで延ばして、配設されている（図３６，３７参照）。実施形態の場合、羽根板４４０は、全体で２７枚配設されている。また、仕切枠体４３０は、羽根板４４０の外周側の後縁側を連結するように、ベース板４１１の前面側に、略円環状の外縁環部４３２を配設させている。外縁環部４３２の内、所定の隣接する羽根板４４０間には、前方側に突出する外周壁４５０が、形成されている。これらの外周壁４５０は、隣接する羽根板４４０の外縁４４２相互を連結するように、配設されて、仕切枠体４３０の回転中心軸Ｏ３を中心として相互に等間隔となる３箇所に、配置されている。
【００９６】
そして、これらの内側筒部４３１と外縁環部４３２との間の隣接する羽根板４４０間の部位が、それぞれ、前方側から見て扇状の開口４６１を有し、リング状回転体４１０の周方向に沿って配置されて、遊技球を収納するスペースとなる球収容凹部４６０を構成している。さらに、各球収容凹部４６０は、リング状回転体４１０における内側筒部４３１、羽根板４４０、背面側を覆う仕切枠体４３０やベース板４１１からなる円環状の背面壁部４３６に周囲を囲われて、遊技球を移送する球移送室４６５を構成している。さらに、図３６，３７に示すように、球移送室４６５の内、外周壁４５０を有していないものが、外周側から遊技球を排出可能な壁無し球移送室４６６とし、外周壁４５０を有したものを、内側筒部４３１、外周壁４５０、及び、外周壁４５０により連結される二つの羽根板４４０により、上下左右の四方を囲まれた壁有り球移送室４６７として、構成されている。そして、実施形態の場合には、２７室ある球移送室４６５の内、壁有り球移送室４６７が、３室とし、壁無し球移送室４６６が、壁有り球移送室４６７より数を多くして、残りの２４室とし、さらに、壁有り球移送室４６７は、壁無し球移送室４６６を間において、断続的（実施形態では、等間隔）に、配設されている。
【００９７】
なお、仕切枠体４３０における各壁無し球移送室４６６の部位では、外縁環部４３２と内側筒部４３１とを連結するように、羽根板４４０間のベース板４１１の前面側に、回転中心軸Ｏ３を中心とした放射方向に沿って、薄肉のリブ４３３を配設させている。このリブ４３３は、壁無し球移送室４６６の部位だけに設けられ、壁有り球移送室４６７の部位には、リブ４３３はなく、Ｖの字状に前方に隆起した装飾突起４３４がベース板４１１に配設されている。
【００９８】
そして、各羽根板４４０は、各球移送室４６５を区画しつつ、内側筒部４３１側の内縁４４１からリング状回転体４１０の外周側の外縁４４２にかけて、前方への突出量を大きくするような台形板状として、前端面４４３を外縁前端部４４４にかけて前方に張り出すように傾斜させている。このような羽根板４４０の前端面４４３の傾斜により、各球移送室４６５の開口４６１における実質的な開口面積が、広くなって、球移送室４６５内の遊技球Ｂを目視し易くしている。すなわち、図３７に示すように、前端面４４３の左右方向から後方へ傾斜した角度をθｂとすれば、前後方向に沿った投影面積（内縁４４１を外縁４４２と同じように張り出した開口４６１の開口面積に等しい）をＲＯ１とすれば、実施形態の開口４６１の実質的な開口面積ＲＯ２（隣接する羽根板４４０の前端面４４３間の面積）は、ＲＯ１／ｃｏｓθｂとなり、実施形態の場合、θbを２０°として、ＲＯ１×１．０６（ｃｏｓ２０°）と広くしている。なお、このような実質的な開口面積ＲＯ２の拡大作用は、壁無し球移送室４６６も、壁有り球移送室４６７と同様に奏する。
【００９９】
また、各壁有り球移送室４６７の外周壁４５０は、図３７に示すように、その内側面４５０ａで遊技球Ｂを保持可能に、背面壁部４３６からの前方突出量（ベース板４１１に取り付けられた装飾突起４３４からの前方突出量）ＦＰ１を、遊技球Ｂの直径寸法ＢＤより大きく設定されている。ちなみに、壁無し球移送室４６６では、図３６に示すように、内側筒部４３１における背面壁部４３６（リブ４３３）からの前方突出量（ベース板４１１に取り付けられたリブ４３３からの前方突出量）ＦＰ２は、遊技球Ｂの直径寸法ＢＤより若干小さく設定され、羽根板４４０自体の外縁前端部４４４における背面壁部４３６からの前方突出量ＦＰ３は、遊技球Ｂの直径寸法ＢＤより若干大きく設定されている。
【０１００】
なお、各壁有り球移送室４６７の開口４６１の周縁における内側筒部４３１、外周壁４５０、及び、羽根板４４０，４４０の前面側には、略四角環状の縁飾り４６８が、取り付けられている。この縁飾り４６８は、外周壁４５０の前端側に、小さく内側に隆起する突条４５１を配設させている（図３７，５４参照）。この突条４５１は、壁有り球移送室４６７に収納された遊技球Ｂが外周壁４５０上を前方側に転動しても、遊技球Ｂを係止して外周壁４５０から前方側に外れないようにするために、配設されている。
【０１０１】
また、各壁有り球移送室４６７におけるリング状回転体４１０の回転方向（前方から見て時計回り方向）の後方側の羽根板４４０Ｂでは、壁有り球移送室４６７側の内側面４４６が、前端面４４３に向かうにつれて、外側面４４７側に接近するように、傾斜する傾斜面（案内面）４４８を備えている（図３４，３７，４４参照）。そのため、壁有り球移送室４６７は、傾斜面４４８上で、遊技球Ｂを支持する際には、遊技球Ｂを前方側に転動させつつ流下可能に構成されている。
【０１０２】
なお、外周壁４５０に接続されていない羽根板４４０では、回転方向（前方から見て時計回り方向）の前方側の面における前縁と外縁とに、小さく隆起する突条４４９が配設されている（図３４，３６参照）。この突条４４９は、時計回り方向で回転する羽根板４４０によって遊技球Ｂを押す際、遊技球Ｂを係止して羽根板４４０から前方側に外れないようにするために、配設されている。
【０１０３】
また、実施形態の場合、内側筒部４３１の後方には、画像表示装置４０を保持する支持部材８９の一部が配置されているものの（図９，１１参照）、その部位は、リング状回転体４１０に隠れて、前面側から目視視し難い。その結果、実施形態では、リング状回転体４１０の下端付近におけるＳルートＳＲ用のステージ６１０の後縁付近を除き、内側筒部４３１の内周側における全域から、その後方の画像表示装置４０の表示画面４１を、視認性よく、目視することができる。
【０１０４】
［ベース側構造体の構成部材であるカバーパネルの説明］
ベース側構造体３００のカバーパネル５００は、図１７，３８〜４０に示すように、遊技盤１２の盤本体構成部材群７０における取付ベース８７の内周縁部８７ａから構成され、既述したように、透明なアクリル等の合成樹脂から形成されている。カバーパネル５００は、中央に、画像表示装置４０の表示画面４１を露出させるように、円形の開口５０２を備えて構成されている。そして、開口５０２の周縁の右方側は、Ｓルート用カバー部５１０を構成し、開口５０２の周縁の左方側は、Ｎルート用カバー部５５０を構成している。
【０１０５】
Ｓルート用カバー部５１０は、リング状回転体４１０の右側の外周側を覆うように、後方に張り出す外周側カバー部５１５と、リング状回転体４１０の右側の前面側を覆う前側カバー部５２０と、を備えて構成されている。外周側カバー部５１５の上部側と下部側とには、外周側に凹む２つの凹部５１６，５１７が形成されている。凹部５１６，５１７は、それぞれ、ＳルートＳＲの流下ルートＳ２からの遊技球Ｂをリング状回転体４１０（振り分け共用移送体４０９）に移送するためのＳルート用移送口５３２と、振り分け共用移送体４０９によって移送された遊技球を流出させるＳルート用流出口５４１と、に対応して配設されている。そして、これらの凹部５１６，５１７は、対応する移送口５３２や流出口５４１とを、それぞれ、リング状回転体４１０の球移送室４６５の回転軌跡より、若干、リング状回転体４１０の回転中心軸Ｏ３から離れた外側にオフセットさせて開口させるために、配設されている。凹部５１７の内周側の面は、前方側にかけて左右方向の外方に向けて、若干外開きとしたテーパ面５１７ａとしている。
【０１０６】
ちなみに、ＳルートＳＲでは、遊技球Ｂが、Ｓルート用移送口５３２からリング状回転体４１０の球移送室４６５に流下されて、球移送室４６５からＳルート用流出口５４１から流出されるまでの、球移送室４６５により遊技球Ｂの移送されるルートを、移送ルートＳ３として、流下ルートＳ２と後述する振り分けルートＳ４との間に配設させている（図１１参照）。なお、この移送ルートＳ３は、第２分岐ルート（Ｓルート）ＳＲでのルートであり、第２移送ルートともいえる。
【０１０７】
また、Ｓルート用カバー部５１０の前側カバー部５２０では、外周側に位置して、上下方向に略沿って配設される平坦面部５２１と、平坦面部５２１の内縁側から、振り分け共用移送体４０９（リング状回転体４１０）の回転中心軸Ｏ３側に向かって、後方側にすり鉢状に狭まるテーパ面部５２２と、を備えて構成されている。前側カバー部５２０の上部側と下部側とにおける平坦面部５２１とテーパ面部５２２とにわたるエリアには、それぞれ、Ｓルート用移送路部５３０とＳルート用流出路部５４０とが形成されている。前側カバー部５２０の内周縁側のテーパ面部５２２は、リング状回転体４１０の回転中心軸Ｏ３側に向かって後方側へ傾斜した先端５２２ａを、内側筒部４３１の前端４３１ａに接近させて、前端４３１ａの前側に重ねるように、配設されている（図３６参照）。
【０１０８】
Ｓルート用移送路部５３０は、既述したように、ＳルートＳＲの流下ルートＳ２からの遊技球Ｂをリング状回転体４１０（振り分け共用移送体４０９）に移送するためのものであり（図６０，６２参照）、前側カバー部５２０から前方に突出する断面Ｕ字状の移送用樋部５３４を備えている。そして、センター飾り組付体１００の下側仕切材１５０におけるＳルート案内樋部１５２の後方側には、移送用樋部５３４が連なる。この移送用樋部５３４の後端には、リング状回転体４１０の球移送室４６５に遊技球Ｂを流下させるＳルート用移送口５３２が、開口されている。Ｓルート案内樋部１５２と移送用樋部５３４とは、後方に向かうにつれて下方に下がっており、遊技球Ｂを、Ｓルート用移送口５３２を経て、球移送室４６５（球収容凹部４６０）の前方に開口した開口４６１から、円滑に、後方へ流下させて、球移送室４６５に移送することができる。ちなみに、このＳルート用移送路部５３０は、第２分岐ルート（Ｓルート）ＳＲでの球移送室４６５へ遊技球Ｂを流入させる部位であり、第２流入部位ともいえる。
【０１０９】
なお、Ｓルート用移送口５３２と移送用樋部５３４とは、実施形態の場合、リング状回転体４１０（振り分け共用移送体４０９）の回転中心軸Ｏ３の水平方向に沿った略真横となる右方側に、配設されている（図３８参照）。さらに、Ｓルート用移送口５３２は、遊技球Ｂを挿通可能な開口面積を有して、実施形態の場合、リング状回転体４１０の仕切枠体４３０における外周壁４５０を含めた外縁環部４３２の前方より、若干、回転中心軸Ｏ３から離れる外側に、周縁８５０の右縁８５２を配置させている（図６３参照）。
【０１１０】
また、このＳルート用移送口５３２付近のＳルート用移送路部５３０には、球移送室４６５へ収容される遊技球Ｂが、回転する球移送室４６５相互を区画する羽根板４４０と、Ｓルート用移送口５３２の周縁部位（流下口５３３の周縁８５０における下縁８５１）と、の間で球噛みされないように、後述する球噛み防止機構８００が配設されている。
【０１１１】
さらに、Ｓルート用移送口５３２から遊技球Ｂが移送される球移送室４６５は、壁無し球移送室４６６だけとしている。なぜなら、壁有り球移送室４６７では、図６７，６８に示すように、外周壁４５０が、Ｓルート用移送口５３２の中央付近の右側の後方に、接近して張り出すこととなり、外周壁４５０が遊技球Ｂの移送を邪魔して、遊技球Ｂは壁有り球移送室４６７に流下できないからである。そして、回転して壁無し球移送室４６６がＳルート用移送口５３２の後方に配置されれば、外周壁４５０が無い分、円滑に、遊技球ＢがＳルート用移送口５３２と開口４６１とを経て、壁無し球移送室４６６に流下することとなる（図６４，６６参照）。
【０１１２】
Ｓルート用流出路部５４０は、図１０，１１，３８〜４１に示すように、前側カバー部５２０におけるＳルート用流出口５４１の下縁周縁から前面コ字状の流出用樋部５４３を、前方に突出させて構成されている。Ｓルート用流出口５４１と流出用樋部５４３とは、実施形態の場合、Ｓルート用移送口５３２の下方とし、リング状回転体４１０（振り分け共用移送体４０９）の回転中心軸Ｏ３を中心とした斜め右下位置に、配設されている。そして、流出用樋部５４３は、外周側カバー部５１５の凹部５１７におけるテーパ面５１７ａから連なるように、Ｓルート用流出口５４１の周縁５４２における右縁５４２ａから前方に突出する規制壁５４４と、規制壁５４４の上縁から左方に延びてＳルート用流出口５４１の上縁５４２ｃの右側に配置される天井壁５４６と、規制壁５４４の下縁から左方に延びてＳルート用流出口５４１の下縁５４２ｂに配置され、さらに、Ｓルート振り分け機構６００のステージ６１０まで左方に延びる転動壁５４５と、を備えて構成されている。そして、流出用樋部５４３の前側には、既述したように、下側仕切材１５０のＳルート案内リブ部１５５が、接近して配設されている（図１０，４１参照）。そのため、Ｓルート用流出口５４１から流出する遊技球Ｂは、Ｓルート案内リブ部１５５の後端面１５５ｃに案内されながら、転動壁５４５の上面の転動面５４５ｂを転動して、Ｓルート振り分け機構６００のステージ６１０における転動路６１１に流入することとなる。ちなみに、このＳルート用流出路部５４０は、第２分岐ルート（Ｓルート）ＳＲでの球移送室４６５（壁無し球移送室４６６）から遊技球Ｂを流出させる部位であり、第２流出部位ともいえ、また、流出用樋部５４３は、第２流出用樋部ともいえる。
【０１１３】
なお、このＳルート用流出口５４１は、リング状回転体４１０（振り分け共用移送体４０９）の回転中心軸Ｏ３を中心とした斜め右下に配置されている。さらに、Ｓルート用流出口５４１は、遊技球Ｂを挿通可能な開口面積を有するとともに、外周側カバー部５１５の外開きのテーパ面５１７ａに連なる周縁５４２の右縁５４２ａを、リング状回転体４１０の仕切枠体４３０における外周壁４５０を含めた外縁環部４３２の前方より、若干、回転中心軸Ｏ３から離れる外側に、配置させている。そのため、壁無し球移送室４６６に収納された遊技球Ｂは、収納された壁無し球移送室４６６におけるリング状回転体４１０の回転方向側の羽根板４４０Ｆの外縁４４２付近が、遊技球Ｂの直径寸法ＢＤ分以上、Ｓルート用流出口５４１の上縁５４２ｃから下方に離れれば、羽根板４４０Ｆの内側面４４６が外縁４４２にかけて右下がりに下がっていることから、外縁４４２付近とテーパ面５１７ａとに摺動しつつ、壁無し球移送室４６６から前方に流出されて、流出用樋部５４３の転動面５４５ｂ側に排出されることとなる（図３８，４１参照）。
【０１１４】
Ｎルート用カバー部５５０は、リング状回転体４１０の左側の外周側を覆うように、後方に張り出す外周側カバー部５５５と、リング状回転体４１０の左側の前面側を覆う前側カバー部５６０と、カバーパネル５００の下部側のＮルート用移送路部５７０と、を備えて構成されている。
【０１１５】
Ｎルート用移送路部５７０は、図９，１１，３８，３９に示すように、Ｓルート用カバー部５１０とＮルート用カバー部５５０との前側カバー部５２０，５６０の下部相互を左右方向に沿って連結しつつ、前方に張り出すように配設され、左右方向の中央後部側に、上下に貫通するＮルート用移送口５７１を配設させている。このＮルート用移送口５７１には、Ｎルート振り分け機構７００が配設される。また、Ｎルート用移送口５７１の左右には、Ｓルート用カバー部５１０とＮルート用カバー部５５０との前側カバー部５２０，５６０の下部前面側から張り出した規制壁部５７２，５７３が配設されている。これらの規制壁部５７２，５７３は、Ｎルート振り分け機構７００のＮルート振り分け部材７１０の左右に流下する遊技球Ｂが、円滑に外れ流下ルートＮ７に流下できるように、左右で相互に対向する内側面５７２ａ，５７３ａにより、案内するものである。
【０１１６】
そして、外周側カバー部５５５の上部側には、図３８，３９，４３，４４に示すように、第１Ｖ入賞口３２を設けたＶ入賞用樋部５８７に連なる貫通口５５７が、左右方向に貫通するように、配設されている。
【０１１７】
さらに、前側カバー部５６０は、外周側に位置して、上下方向に略沿って配設される平坦面部５６１と、平坦面部５６１の内縁側から、振り分け共用移送体４０９（リング状回転体４１０）の回転中心軸Ｏ３側に向かって、後方側にすり鉢状に狭まるテーパ面部５６２と、を備えて構成されている。この前側カバー部５６０の内周縁側のテーパ面部５６２も、ＳルートＳＲ側のテーパ面部５２２と同様に、リング状回転体４１０の回転中心軸Ｏ３側に向かって後方側へ傾斜した先端５６２ａを、内側筒部４３１の前端４３１ａに接近させて、前端４３１ａの前側に重ねるように、配設されている（図３６参照）。
【０１１８】
そして、これらのテーパ面部５６２，５２２は、内周縁側となる先端５６２ａ，５２２ａ側を、リング状回転体４１０の回転中心軸Ｏ３側に向かって、後方側へ傾斜させて、前後方向の投影面積より、傾斜している分、実質的な面積を広くさせて、面積を広くした透明なテーパ面部５６２，５２２により、球移送室４６５内の遊技球Ｂを目視させ易くしている。すなわち、図３７に示すように、テーパ面部５６２の先端５６２ａ側の後方へ傾斜した角度をθｐとすれば、前後方向に沿った投影面積（テーパ面部５６２の部位を単に前後方向に沿わせた面積に等しい）をＲＰ１とすれば、実施形態のテーパ面部５６２の実質的な面積ＲＰ２は、ＲＰ１／ｃｏｓθｐとなり、実施形態の場合、θｐを３２°として、ＲＰ１×１．１８（ｃｏｓ３２°）と広くしている。なお、このような作用・効果は、テーパ面部５２２でも同様に奏する。
【０１１９】
また、前側カバー部５６０の上部側における平坦面部５６１とテーパ面部５６２とにわたるエリアに、Ｎルート用流出路部５８０が形成されている。Ｎルート用流出路部５８０は、第１Ｖ入賞口３２に遊技球を流出する部位となる。
【０１２０】
ちなみに、ＮルートＮＲでは、遊技球Ｂが、図５４，５６に示すように、底板１２０の転動面１２０ａを経て、Ｎルート振り分け機構７００のＮルート振り分け部材７１０における振り分け案内板７２０の上面７２０ａ上を後方に転動すれば、壁有り球移送室４６７に流下され、そして、壁有り球移送室４６７からＮルート用流出路部５８０から流出されるまでの、壁有り球移送室４６７により遊技球Ｂの移送されるルートを、Ｖ入賞移送ルートＮ５としている（図９参照）。このＶ入賞移送ルートＮ５は、第１分岐ルート（Ｎルート）ＮＲでのルートであり、第１移送ルートともいえる。
【０１２１】
なお、実施形態の場合、ＮルートＮＲでは、遊技球Ｂが、Ｎルート振り分け機構７００のＮルート振り分け部材７１０における振り分け案内板７２０の上面７２０ａを後方に転動しても、壁無し球移送室４６６に流入されれば、その後の回転による移送は、外れ移送ルート（外れルート）Ｎ６となる。すなわち、この外れ移送ルートＮ６では、壁無し球移送室４６６が、壁有り球移送室４６７と相違して、外周壁４５０を備えておらず、Ｎルート振り分け機構７００の外れ排出口７８４の位置に配置されれば、遊技球が壁無し球移送室４６６の外周側から外れ排出口７８４に流下してしまうからである（図５８参照）。そのため、この振り分け案内板７２０の上面７２０ａを後方に転動するルートは、遊技球Ｂが、Ｖ入賞できない外れ移送ルート（外れルート）Ｎ６に移送される場合があるものの、Ｖ入賞できるＶ入賞移送ルートＮ５に入る場合もあって、ＮルートＮＲでの入賞期待ルートＮ４となる。
【０１２２】
そして、実施形態の場合、回転するリング状回転体４１０の下端４０９ａの前側部位、すなわち、Ｎルート用移送路部５７０付近の底板１２０や振り分け案内板７２０の配設部位は、第１分岐ルート（Ｎルート）ＮＲでの球移送室４６５へ遊技球Ｂを流入させる部位であり、第１流入部位ともいえる。
【０１２３】
Ｎルート用流出路部５８０は、前側カバー部５６０におけるリング状回転体４１０の回転中心軸Ｏ３の水平方向に沿った左方側の真横を超えて、その真横の若干上方に、前後方向に貫通されたＮルート用流出口５８１、を開口させて構成されている。さらに、Ｎルート用流出路部５８０では、Ｎルート用流出口５８１の周縁から前方に突出して、Ｎルート用流出口５８１から前方に流下した遊技球Ｂを、左方のＶ入賞用樋部５８７に転動させる流出用樋部５８３、を備えて構成されている（図４３，４４参照）。
【０１２４】
流出用樋部５８３は、左方のＶ入賞用樋部５８７に連なる開口（第１Ｖ入賞口３２となる）を空けて、Ｎルート用流出口５８１の周縁５８２の右縁５８２ａ、下縁５８２ｂ、及び、上縁５８２ｃから前方に突出して、前方を塞ぐ前面壁部５８４を備えた略箱形状に形成されている。そして、底壁となる転動壁５８５が、その上面の転動面５８５ａを左下がりとするように、配設されている。
【０１２５】
Ｖ入賞用樋部５８７は、カバーパネル５００の後面側まで延び、さらに、カバーパネル５００とその後面側に取り付けられる樋プレート８８（図４３参照）を利用して、取付ベース８７の後面で下方に伸び、その途中に、第１Ｖ入賞口ＳＷ３７を配設させている（図３参照）。
【０１２６】
このＮルート用流出路部５８０では、遊技球Ｂを入球させている壁有り球移送室４６７がＮルート用流出口５８１の位置まで回転されて、羽根板４４０Ｂの傾斜面４４８が、Ｎルート用流出口５８１の下縁５８２ｂを越えた上方に配置された際、壁有り球移送室４６７の遊技球Ｂが、図４３，４４に示すように、前下がりの傾斜面４４８を前方に転動して、Ｎルート用流出路部５８０の転動面５８５ａに移送されることとなる。その後、遊技球Ｂは、転動面５８５ａを左方に転動して、第１Ｖ入賞口３２に入賞することとなる。ちなみに、このＮルート用流出路部５８０は、第１分岐ルート（Ｎルート）ＮＲでの球移送室４６５（壁有り球移送室４６７）から遊技球Ｂを流出させる部位であり、第１流出部位ともいえる。
【０１２７】
なお、カバーパネル５００は、Ｎルート用移送路部５７０の左右の規制壁部５７２，５７３の部位と開口５０２の上縁周縁とに、センター飾り組付体１００の位置決め突起１５８，１６１を嵌挿させるための位置決め孔５０１が、配設されている。
【０１２８】
［Ｓルート振り分け機構の説明］
Ｓルート振り分け機構６００は、図３，６に示すように、センター役物２５の下部における画像表示装置４０の前方に、遊技球を転動させるステージ６１０を配設させて構成されている。このＳルート振り分け機構６００は、入賞振り分け機構であり、図６，１１，４５，４７に示すように、ＳルートＳＲのリング状回転体４１０（振り分け共用移送体４０９）による移送ルートＳ３を経てカバーパネル５００の転動面５４５ｂを転動してくる遊技球Ｂを、ステージ６１０上の振り分けルートＳ４に流入させて、第２Ｖ入賞口３３に入賞する入賞ルートＳ５と外れルートＳ６とのいずれかに振り分けるものである。そして、Ｓルート振り分け機構６００は、図４１，４２，４５〜４７に示すように、既述のステージ６１０、振り分け部材６２０、振り分け部材６２０を回転させる振り分け回転機構６３０、取付プレート６５０、区画支持プレート６６０、及び、前プレート６７０、を備えて構成されている。
【０１２９】
振り分け回転機構６３０は、駆動軸６４１を有した駆動源としての駆動モータ６４０、駆動軸６４１に固着された駆動歯車６４３、及び、駆動歯車６４３に噛合する従動歯車６４５を固着させ、かつ、上端に振り分け部材６２０を固着させた回転軸６４７、を備えて構成されている。
【０１３０】
なお、振り分け部材６２０は、略半球形状として、外周の放射状の三箇所に、回転中心となる回転軸６４７側に凹んで、それぞれ、遊技球Ｂを収納可能な３つの凹部を配設させて構成されている。これらの凹部の内、ひとつの凹部が、Ｖ入賞用収納凹部６２４として、他の二つの凹部が、外れ用収納凹部６２１，６２２としている。二つの外れ用収納凹部６２１，６２２には、下端側に、それぞれの外れ用収納凹部６２１，６２２の下方を塞ぐように、底板６２３が配設されている。Ｖ入賞用収納凹部６２４は、このような底板６２３を備えず、単に、凹形状が上下に貫通されている。
【０１３１】
振り分け部材６２０は、リング状回転体４１０とともに、既述したように、遊技機１の電源ＯＮから、常時、回転駆動させることとなり、実施形態の場合、回転軸６４７とともに、時計回り方向に回転する。さらに、この回転軸６４７は、上端側を下端側より前方側に傾けており（実施形態の場合、鉛直方向から約３０°）、各外れ用収納凹部６２１，６２２の底板６２３は、水平方向から約３０°分、前下がりの状態して、回転軸６４７回りで回転することとなる（図４２参照）。
【０１３２】
駆動モータ６４０は、取付プレート６５０の上端側の前下がりの略長方形板状の取付ベース部６５１の下面側に固定されている。この取付プレート６５０は、取付ベース部６５１に、駆動モータ６４０の駆動軸６４１を挿通させる挿通孔６５２と、その左方側のＶ入賞用開口６５３と、を備えて、前縁側には、ステージ６１０の後述する外れ排出路６１３から連なる排出用樋部６５４を、配設させている。
【０１３３】
区画支持プレート６６０は、上部の左右方向の中央に、回転軸６４７を支持する軸支部６６１を備えている。そして、区画支持プレート６６０は、軸支部６６１の左方側に、順に、第２Ｖ入賞口３３を上端側に開口させて後方に延びるＶ入賞用樋部６６５と、排出用開口６６３を上端に開口させて下方に延び、取付プレート６５０のＶ入賞用開口６５３の上方に連なる排出用樋部６６２と、を区画して配設させている。Ｖ入賞用樋部６６５の上端の第２Ｖ入賞口３３は、軸支部６６１で支持された回転軸６４７に固着された振り分け部材６２０が回転する際、各外れ用収納凹部６２１，６２２やＶ入賞用収納凹部６２４の通過するエリアの下方に配置されている。また、軸支部６６１は、既述したように、上端側を下端側より約３０°前方に傾斜させて、回転軸６４７を支持している。
【０１３４】
前プレート６７０は、駆動モータ６４０や振り分け部材６２０を固着させた回転軸６４７等を組み付けた取付プレート６５０と区画支持プレート６６０とを取り付けて、Ｓルート振り分け機構６００ごと、取付ベース８７と支持部材８９とに取り付ける部材である。また、この前プレート６７０には、ステージ６１０の下方で発光するＬＥＤ等を設けた左右の支持板６８０，６８１も取り付けられている。
【０１３５】
ステージ６１０は、上面側に、凹溝状の転動路６１１、流入路６１２、及び、外れ排出路６１３、を配設させるとともに、左右方向の中央の後縁側に、振り分け部材６２０を収納する収納用開口６１５を上下方向に貫通させて、構成されている。転動路６１１は、ステージ６１０の前縁側で左右方向に沿って配設され、カバーパネル５００の転動面５４５ｂからの遊技球を右縁側から受け入れて左縁側まで転動可能としている。そして、この転動路６１１は、左右の縁側より左右方向の中央付近を最も低くするように構成され、その左右方向の中央の後方側に、流入路６１２を接続させている。この流入路６１２は、振り分け部材６２０側に遊技球Ｂを転動させるものであり、振り分け部材６２０の下縁側の周囲を囲んですり鉢状に凹みつつ、収納用開口６１５の前縁側に連なっている。また、外れ排出路６１３は、流入路６１２の左縁側に連なって左方に延びるように配設されて、左端側に、区画支持プレート６６０の排出用開口６６３に連通する外れ排出口６１４を開口させている。
【０１３６】
このＳルート振り分け機構６００では、図４１に示すように、カバーパネル５００の転動面５４５ｂを左方に転動してきた遊技球Ｂが、まず、ステージ６１０の転動路６１１に入り、転動路６１１を左右に転動した後、中央の流入路６１２から後方に転動して、振り分け部材６２０に向かう。
【０１３７】
その際、図４１，４２，４７のＡに示すように、遊技球Ｂが、Ｖ入賞用収納凹部６２４に入れば、ＳルートＳＲの入賞ルートＳ５に入球されたこととなって、Ｖ入賞用収納凹部６２４が外れ用収納凹部６２１，６２２と相違して底板６２３を備えていないことから、Ｖ入賞用収納凹部６２４に収納されつつ、区画支持プレート６６０の軸支部６６１の前側の受止座６６６に支持される。ついで、回転軸６４７と一体的に振り分け部材６２０が時計回りに回転し、Ｖ入賞用収納凹部６２４が、遊技球Ｂとともに、受止座６６６から外れて、第２Ｖ入賞口３３の上方に配置されれば、遊技球Ｂが第２Ｖ入賞口３３に入賞することとなる。そして、遊技球は、下方のＶ入賞用樋部６６５を経て後方移動して流下し（図４６参照）、取付プレート６５０のＶ入賞用開口６５３を経てさらに流下し、第２Ｖ入賞口ＳＷ３８を配置させたＮルート振り分け機構７００の後述する後側部材７９０（図５０参照）を通過することとなる。
【０１３８】
一方、流入路６１２から後方に転動して振り分け部材６２０に向かった遊技球Ｂが、図４７のＡ〜Ｃに示すように、外れ用収納凹部６２１，６２２に入れば、ＳルートＳＲの外れルートＳ６に入球されたこととなって、各外れ用収納凹部６２１，６２２の底板６２３により、受止座６６６に接触することなく、遊技球Ｂは各外れ用収納凹部６２１，６２２に収納された状態となる。そして、振り分け部材６２０が時計回りに回転し、それらの外れ用収納凹部６２１，６２２が、外れ排出路６１３の外れ排出口６１４側に向けば、上端側を前方側に配置させた回転軸６４７と一体的に振り分け部材６２０が時計回りに回転しており、それらの振り分け部材６２０の外周側の開口６２１ａ，６２２ａが斜め下向きに開口し、かつ、底板６２３も前下がりとなっているため、遊技球Ｂが、開口６２１ａ，６２２ａから外れ排出路６１３側に流下される。そして、遊技球Ｂは、図４６，５２に示すように、外れ排出口６１４、区画支持プレート６６０の排出用開口６６３や排出用樋部６５４、さらに、取付プレート６５０の排出用樋部６５４、排出口ＳＷ３９を設けたＮルート振り分け機構７００の後述する排出用樋部７８８を通過することとなる。
【０１３９】
［Ｎルート振り分け機構の説明］
Ｎルート振り分け機構７００は、図９，１１に示すように、壁無し球移送室４６６と壁有り球移送室４６７との２種類の球移送室４６５を有した振り分け共用移送体４０９（リング状回転体４１０）と、センター役物２５の下部におけるＳルート振り分け機構６００のステージ６１０の前下側に配設された機構本体部７０５と、を備えて構成されている。このＮルート振り分け機構７００は、入賞振り分け機構であって、図４８，４９に示すように、ＮルートＮＲのセンター飾り組付体１００における流下ルートＮ２を経て、底板１２０の転動面１２０ａから後方に転動してくる遊技球Ｂを、昇降（上下往復移動）する振り分け部材７１０を利用した振り分けルートＮ３を通過させて、図９に示すように、第１Ｖ入賞口３２に入賞するＶ入賞移送ルートＮ５、外れ移送ルートＮ６、及び、外れ流下ルートＮ７のいずれかに振り分ける。
【０１４０】
具体的に述べれば、振り分け部材７１０の上端の装飾部７１１が、振り分け機構７００の機構本体部７０５の作動時に、底板１２０上を後方移動する遊技球Ｂの後方側の対向する位置において、上下往復移動されるように配設されている。そのため、振り分けルートＮ３では、底板１２０の転動面１２０ａから後方に転動してくる遊技球Ｂは、まず、図４８に示すように、上下往復移動する振り分け部材７１０の上下の配置位置の相違により、振り分け共用移送体４０９の球移送室４６５に流入させる入賞期待ルートＮ４と、外れ排出口７８５，７８６に流下される外れ流下ルート（外れルート）Ｎ７と、に振り分けられる。さらに、入賞期待ルートＮ４により球移送室４６５に流下した遊技球Ｂは、その球移送室４６５が壁無し球移送室４６６かあるいは壁有り球移送室４６７かにより、図９に示すように、第１Ｖ入賞口３２に入賞するＶ入賞移送ルートＮ５、あるいは、外れ排出口７８４に流下する外れ移送ルートＮ６、のいずれかに振り分けられることとなる。
【０１４１】
Ｎルート振り分け機構７００の機構本体部７０５は、図５０〜５３に示すように、振り分け部材７１０、振り分け部材７１０を昇降させる振り分け昇降機構７５０、取付プレート７７０、及び、転動部材７８０、を備えて構成されている。
【０１４２】
振り分け部材７１０は、図５１に示すように、上端側に配設される装飾部７１１と、装飾部７１１を支持する支持部７３０と、を備えて構成されている。装飾部７１１は、図５３に示すように、怪獣の頭部を擬態化した装飾本体部７１２と、装飾本体部７１２の上端に設けた振り分け案内板７２０と、を備えて構成されている。装飾本体部７１２は、前面側に塗装した塗装部位（装飾塗装部）７１５を設けて構成されている。この装飾塗装部７１５は、顔面の目鼻等を擬態化させたような凹凸７１４を設けたベース７１３の表面に、塗料７１７を塗布して形成されている。この塗装は、転写等の印刷、あるいは、刷け塗り、スプレー塗布等の塗装工程により、所定の塗料７１７をベース７１３の前面側の表面に塗布して行っている。また、装飾本体部７１２のベース７１３は、ポリアセタールやＡＢＳ樹脂等の合成樹脂材料を着色して形成されており、装飾塗装部７１５以外の装飾一般部７１６は、ベース７１３を形成した合成樹脂材料自体を着色した地色により、彩色されている。
【０１４３】
振り分け案内板７２０は、ホームベース板形状とし、上面７２０ａを、後下がりに傾斜させるように配置させて、後方へ遊技球Ｂを転動可能な案内面７２３としている。すなわち、この案内面７２３は、図５４，５６，５８に示すように、ＮルートＮＲの振り分けルートＮ３における入賞期待ルートＮ４を構成している。また、振り分け案内板７２０の前端面７２０ｂは、左右方向の中央を前方側に突出させる頂部７２５として、頂部７２５の左右の部位を、後方移動する遊技球Ｂとの摺接時に、左右両側の外方にずれ移動させる外れ排出面７２６，７２７としている。なお、実施形態の場合、振り分け案内板７２０は、左右方向の幅寸法ＷＬを、遊技球Ｂの直径寸法ＢＤより大きく、かつ、振り分け共用移送体４０９の球移送室４６５の外周側の幅寸法ＴＢより、若干広く設定され、前後方向の奥行寸法ＦＬを遊技球Ｂの直径寸法ＢＤより、若干大きく設定されている。
【０１４４】
そして、この振り分け案内板７２０は、昇降する振り分け部材７１０が下降した下端位置ＤＰに配置された際、図５４，５６，５８に示すように、上面７２０ａの案内面（転動面）７２３が、入賞期待ルートＮ４を形成可能に、ＮルートＮＲの流下ルートＮ２の底板１２０の転動面１２０ａから後方移動してくる遊技球Ｂを、案内面７２３上で後方に転動させて、回転する球移送室４６５に流下させることができるように、設定されている。すなわち、振り分け案内板７２０の寸法形状や下端位置ＤＰの配置位置等が、入賞期待ルートＮ４を形成可能に、センター飾り組付体１００の底板１２０や下側仕切材１５０のＮルート案内背板部１５３の下端（下環状背板部１５４の下端側の凹部１５４ｃ付近）、あるいは、振り分け共用移送体４０９等の配置位置に対応させて、設定されている。ちなみに、下端位置ＤＰの振り分け案内板７２０は、実施形態の場合、後縁７２０ｃの高さ位置を、振り分け共用移送体４０９の最下端の球移送室４５６における左右方向で対向する羽根板４４０の外縁４４２，４４２より、若干、上方位置に配置させるように、設定され、また、振り分け案内板７２０の前端面７２０ｂは、その前方の底板１２０の転動面１２０ａにおける後縁１２０ａｂより、若干、下方位置に配置されている（図５４参照）。勿論、前端面７２０ｂと転動面１２０ａの後縁１２０ａｂとの前後方向の離隔距離は、遊技球Ｂが転動面１２０ａから上面７２０ａに円滑に転動するように、小さく設定されている。
【０１４５】
さらに、昇降する振り分け部材７１０が上昇した上端位置ＵＰに配置された際、図９，５５，５７，５８に示すように、前端面７２０ｂの外れ排出面７２６，７２７が、外れ流下ルートＮ７を形成可能に、ＮルートＮＲの流下ルートＮ２の底板１２０の転動面１２０ａから後方移動してくる遊技球Ｂを、振り分け案内板７２０の左右の外れ排出口７８５，７８６に流下させることができるように、設定されている。すなわち、振り分け案内板７２０の寸法形状や上端位置ＵＰの配置位置等が、外れ流下ルートＮ７を形成可能に、センター飾り組付体１００の底板１２０や下側仕切材１５０のＮルート案内背板部１５３の下端（下環状背板部１５４の下端側の凹部１５４ｃ付近）、あるいは、外れ排出口７８５，７８６等の配置位置に対応させて、設定されている。ちなみに、上端位置ＵＰの振り分け案内板７２０は、実施形態の場合、後縁７２０ｃの高さ位置を、振り分け共用移送体４０９の最下端の球移送室４６５における内側筒部４３１と略同じ高さ位置に配置させるように、設定されている。
【０１４６】
なお、実施形態の場合、外れ排出面７２６，７２７は、上方から見て、頂部７２５付近を除いて平面状とし、相互の交差角度θｃを約１２０°としている（図５３参照）。また、頂部７２５は、半径寸法ｒｃを１．５ｍｍ程度としたＲ形状の弧面として形成されている。そのため、振り分け案内板７２０が上端位置ＵＰ付近に配置されて、かつ、遊技球Ｂが底板１２０の転動面１２０ａを後方に転動してくる際、常時ではないものの、遊技球Ｂが、転動面１２０ａ上で支持された状態としつつ、前面をＲ形状の頂部７２５付近で受け止められて滞留し、その後、振り分け案内板７２０の下降に伴って、振り分け案内板７２０の上面７２０ａを後方へ転動する入賞期待ルートＮ４に入ることを、可能にしている（図４１参照）。
【０１４７】
振り分け部材７１０の支持部７３０は、図５３に示すように、上面に装飾部７１１を固着させて左右方向に延びる上横板部７３１と、上横板部７３１の左右の縁から二又状に下方に延びる側壁部７３２，７３２と、左右の側壁部７３２，７３２の下端の後縁側を相互に連結する下横板部７３６と、を備えて構成されている。左右の側壁部７３２，７３２の外表面側には、図５２，５３，５６に示すように、前縁側に、それぞれ、上下方向に沿って断続的に延びるガイド片部７３３，７３４が突設され、各ガイド片部７３３，７３４の後方に、フック７３５が突設されている。ガイド片部７３３，７３４は、取付プレート７７０の後面側に取り付けられたガイドレール７４０と取付プレート７７０との間で、上下動を案内される部位となる。左右のフック７３５には、取付プレート７７０に下端をねじ７４７止めされるばね（引張コイルばね）７４５の上端が係止されている。下横板部７３６の後縁の左側には、後方へ突出する係止片部７３７が配設されている。
【０１４８】
なお、振り分け部材７１０の支持部７３０が左右に二又状に構成されている理由は、センター役物２５の左右方向の中央下方には、第１始動入賞装置４８が配設されることから（図３参照）、その第１始動入賞装置４８と干渉しないように、第１始動入賞装置４８を左右で跨いで、円滑に、振り分け昇降機構７５０に連結させるためである。
【０１４９】
振り分け昇降機構７５０は、図５２，５３，５６に示すように、駆動源としての駆動モータ７６０、駆動モータ７６０の駆動軸７６１に固着されて、押圧突起部７６３を突出させているカム７６２、及び、揺動レバー７６５、を備えて構成されている。駆動モータ７６０は、取付プレート７７０に取り付けられる転動部材７８０の後面側に取り付けられて、駆動軸７６１のカム７６２を固着させた部位を、転動部材７８０から前方に突出させている。揺動レバー７６５は、左右方向の中央付近の軸支部７６６を取付プレート７７０に軸支させて左右方向に延び、右端側に押下片部７６７を配設させ、左端側に押上片部７６８を配設させて構成されている。押上片部７６８は、振り分け部材７１０の係止片部７３７の下面と当接するように配設され、押下片部７６７は、駆動軸７６１の回転（前方から見て反時計回り方向の回転）に伴うカム７６２の回転時、カム７６２の押圧突起部７６３によって下方に押されて、図５６，５７に示すように、前方から見て、揺動レバー７６５を軸支部７６６を回転中心として、時計回り方向に回転させるように、構成されている。そして、この揺動レバー７６５の時計回り方向の回転により、揺動レバー７６５の押上片部７６８が振り分け部材７１０の係止片部７３７を押し上げるため、振り分け部材７１０は、ガイド片部７３３，７３４をガイドレール７４０に摺動させつつ、ばね７４５の付勢力に抗して、上端位置ＵＰまで上昇することとなる。そして、カム７６２の回転に伴い、押圧突起部７６３が押下片部７６７から離れれば、ばね７４５の付勢力により、振り分け部材７１０が下端位置ＤＰに下降するとともに、係止片部７３７が押上片部７６８を押し下げて、揺動レバー７６５は、軸支部７６６を回転中心として、反時計回り方向に回転して、原位置に復帰されることとなる。
【０１５０】
したがって、この振り分け部材７１０では、駆動モータ７６０が駆動軸７６１とともにカム７６２を回転させれば、下端位置ＤＰから上端位置ＵＰに上昇し、その後に下端位置ＤＰに復帰されるように、上下に直線往復移動することとなる。なお、この振り分け部材７１０の昇降も、既述したように、振り分け部材２６０の揺動や開閉部材１９０の開閉とともに、小当たりを契機として、所定時間、作動されることとなる。
【０１５１】
振り分け機構７００における機構本体部７０５の取付プレート７７０は、図５０〜５２に示すように、転動部材７８０や後側部材７９０を保持するとともに、直接的、若しくは、転動部材７８０等を利用しつつ間接的に、振り分け昇降機構７５０の各部材を保持して、取付ベース８７や支持部材８９に機構本体部７０５を取り付ける役目を果たしている。さらに、取付プレート７７０は、左右方向の中央の下縁側に、第１始動入賞装置４８（図４９参照）を収納したり、第１始動口４９に入賞した遊技球を通過させるスペースを確保できるように、上方へ凹む収納凹部７７５を、配設させている。振り分け部材７１０の支持部７３０における側壁部７３２は、この収納凹部７７５の周囲を跨いで配設されている（図５６参照）。
【０１５２】
転動部材７８０は、上面側に、左右方向の中央を下方に凹ませた転動壁７８２を設けた上側部７８１、を備えて構成されている。この転動壁７８２は、振り分け共用移送体４０９の下端側に配置された３個分の球移送室４６５に対応して、それらの外周に沿って凹むように、配設されている（図４８参照）。そして、転動壁７８２の左縁側には、外れ排出口７８４が上下に貫通するように配設されている。この外れ排出口７８４は、ＮルートＮＲのはずれ移送ルートＮ６の遊技球を流下させる部位となるとともに、その下方には、ＳルートＳＲの外れルートＳ６における外れ排出口６１４を通過した遊技球も通ることとなる。
【０１５３】
なお、転動壁７８２は、カバーパネル５００の外周側カバー部５１５，５５５間において、外れ排出口７８４を除き、回転するリング状回転体４１０の下端付近の外周側を覆っていることから、外周側カバー部５９０とも言える。
【０１５４】
また、上側部７８１の転動壁７８２の前縁から下方に下がる前面壁７８３には、転動壁７８２の左右両縁付近から排出用樋部７８３ａ，７８３ｂを前方側に突出させて、その上方に、外れ排出口７８５，７８６が配設されている。これらの外れ排出口７８５，７８６は、既述したように、ＮルートＮＲの外れ流下ルートＮ７の遊技球Ｂを流下させるものであり、振り分け部材７１０の振り分け案内板７２０の上面７２０ａ上の入賞期待ルートＮ４を通過できずに、外れ排出面７２６，７２７に摺接した遊技球Ｂが、外れ排出口７８５，７８６に流下することとなる。なお、これらの外れ流下ルートＮ７を通る遊技球Ｂは、転動壁７８２の下方の排出用樋部７８７を通過して左方に転動し、外れ排出口７８４を通過する外れ移送ルートＮ６の遊技球、あるいは、その上方のＳルートＳＲの外れルートＳ６からの遊技球も合流して、転動部材７８０の左縁側から前下側に延びる排出用樋部７８８を通過することととなる。この排出用樋部７８８には、後側部材７９０に設けられて遊技球を検知可能な排出口ＳＷ３９が配設され、この排出口ＳＷ３９が、ＳルートＳＲとＮルートＮＲとの第２Ｖ入賞口３３や第１Ｖ入賞口３２に入賞しなかった遊技球を、共用して検知することとなる。
【０１５５】
なお、後側部材７９０は、転動部材７８０の後方側に配置されて、排出口ＳＷ３９の他に、第２Ｖ入賞口３３に入賞した遊技球を検知する第２Ｖ入賞口ＳＷ３８も組み付けられており、それらのスイッチ収納部７９１，７９２を備えて構成されている。
【０１５６】
このＮルート振り分け機構７００では、ＮルートＮＲの流下ルートＮ２における転動面１１８ａ，１１９ａを転動し、さらに、底板１２０の転動面１２０ａから後方に転動してくる遊技球Ｂは、次のようの振り分けルートＮ３の各ルートに振り分けられる。すなわち、上下往復移動する振り分け部材７１０の振り分け案内板７２０が下端位置ＤＰに無ければ、底板１２０の転動面１２０ａから後方に転動してくる遊技球Ｂは、図９，５５，５７，５８に示すように、振り分け案内板７２０の外れ排出面７２６，７２７により、左右の外れ排出口７８５，７８６に流下される外れ流下ルートＮ７に入り、そして、外れ排出口７８５，７８６に流下された後、排出用樋部７８３ａ，７８３ｂと転動壁７８２の下方の排出用樋部７８７とを経て（図５２参照）、排出用樋部７８８に入って排出口ＳＷ３９をＯＮさせることとなる。
【０１５７】
一方、振り分け案内板７２０が下端位置ＤＰ付近に配置されていれば、図５４，５６，５８に示すように、底板１２０の転動面１２０ａから後方に転動してくる遊技球Ｂは、案内面７２３上を後方に転動する入賞期待ルートＮ４に乗り、回転する振り分け共用移送体４０９の球移送室４６５に入球する。その際、遊技球の入球した球移送室４６５が壁無し球移送室４６６であれば、図５８のＡ，Ｂに示すように、遊技球Ｂは外れ移送ルートＮ６に移送されたことになる。この場合、壁無し球移送室４６６が振り分け共用移送体４０９の回転により転動部材７８０の転動壁７８２上を通過する際、遊技球Ｂは、壁無し球移送室４６６の回転方向後方側の羽根板４４０Ｂに押されつつ、転動壁７８２の上面の転動面７８２ａを転動し、そして、その壁無し球移送室４６６が転動部材７８０の外れ排出口７８４の上方に配置されれば、遊技球Ｂは、外れ排出口７８４に流下され、さらに、排出用樋部７８８に排出されて（図５２参照）、排出口ＳＷ３９をＯＮさせることとなる。
【０１５８】
逆に、図５４，５６に示すように、遊技球Ｂの入球した球移送室４６５が壁有り球移送室４６７であれば、遊技球ＢはＶ入賞移送ルートＮ５に移送されたことになる。すなわち、その壁有り球移送室４６７は、壁無し球移送室４６６と相違して、外周壁４５０を備えていることから、図５４，５６，８，９に示すように、振り分け共用移送体４０９の回転により、転動部材７８０の転動壁７８２における外れ排出口７８４上を通過しても、遊技球Ｂを外周壁４５０の内側面４５０ａ上に乗せて収容した状態で通過し、遊技球Ｂの外れ排出口７８４への流下が防止される。そのため、壁有り球移送室４６７は、遊技球Ｂを収容した状態で、外れ排出口７８４の上方を通過し、さらに、カバーパネル５００のＮルート用流出路部５８０のＮルート用流出口５８１の後方側まで、透明なＮルート用カバー部５５０の前側カバー部５６０の後方を上昇回転移動する。そして、壁有り球移送室４６７がＮルート用流出口５８１の後方に配置されれば、図４３，４４に示すように、壁有り球移送室４６７に収容されていた遊技球Ｂは、羽根板４４０Ｂの傾斜面４４８により、Ｎルート用流出口５８１を経て、壁有り球移送室４６７から前方の流出用樋部５８３に転動し、そして、前面壁部５８４の後面側の転動面５８５ａを左方に転動し、第１Ｖ入賞口３２に入賞することとなる。さらに、第１Ｖ入賞口３２に入賞した遊技球Ｂは、Ｖ入賞用樋部５８７を通過して第１Ｖ入賞口ＳＷ３７をＯＮさせることとなる（図３参照）。
【０１５９】
そしてさらに、実施形態の振り分け案内板７２０では、上昇途中は勿論のこと、上端位置ＵＰに配置されている際を含めて、装飾部７１１の装飾塗装部７１５の塗料７１７が遊技球Ｂと接触して剥がれないように、底板１２０の転動面１２０ａの後縁１２０ａｂと、凹凸７１４の部位を含めた装飾塗装部７１５の外表面７１５ａと、の配置位置を考慮して、前端面７２０ｂの前方側への突出形状が設定されている。
【０１６０】
すなわち、振り分け案内板７２０が上端位置ＵＰに配置されて、遊技球Ｂが、底板１２０の転動面１２０ａ上を後方へ転動して、装飾部７１１の装飾塗装部７１５に当たろうとしても、その遊技球Ｂが、振り分け案内板７２０の前端面７２０ｂやその下縁７２０ｂｂと、底板１２０の転動面１２０ａの後縁１２０ａｂと、によって位置規制され、装飾塗装部７１５に当たること無く、さらに、前端面７２０ｂやその下縁７２０ｂｂと後縁１２０ａｂとの上方から見た相互の離隔距離の広がる左右の斜め後方に、自重によって案内されて、外れ排出口７８５，７８６に流下すればよい（図５５，５８のＢ参照）。ちなみに、振り分け案内板７２０の前端面７２０ｂは、左右両側にかけて、斜め後方向に傾斜し、底板１２０の後縁１２０ａｂが、左右方向に延びているため、上方から見た相互の離隔距離は、左右の斜め後方にかけて、広がる形状となる。そして、実施形態の場合には、振り分け案内板７２０が上端位置ＵＰに配置された際に、振り分け案内板７２０の前端面７２０ｂの左右方向の全域を、底板１２０の転動面１２０ａの後縁１２０ａｂより上方に突出した装飾塗装部７１５の外表面７１５ａの上部７１５ｂ側に対して、左右の斜め前方向を含めて、前方側へ突出させるとともに、振り分け案内板７２０の頂部７２５と底板１２０の転動面１２０ａの後縁１２０ａｂとの前後方向の離隔距離ＳＦを、遊技球Ｂの直径寸法ＢＤより小さく設定している。さらに、実施形態の場合、装飾部７１１の塗装されていない装飾一般部７１６が、前端面７２０ｂとともに、装飾塗装部７１５に接近する遊技球Ｂを受け止めることができて、その遊技球Ｂが装飾塗装部７１５と接触しないように、装飾一般部７１６における装飾塗装部７１５の周縁に位置する周縁部位７１６ａを、その近傍の装飾塗装部７１５より外側に隆起させている（図５３，５５参照）。
【０１６１】
［球噛み防止機構の説明］
球噛み防止機構８００は、既述したように、図９，１１，３８に示すように、Ｓルート用移送口５３２付近のＳルート用移送路部５３０に配設されている。この球噛み防止機構８００は、図５９に示すように、球移送室４６５（球収容凹部４６０）へ収容される遊技球Ｂが、回転する球移送室４６５の開口４６１の周縁であって、球移送室４６５相互を区画する羽根板４４０と、Ｓルート用移送口５３２（流下口５３３）の周縁部位（流下口５３３の周縁８５０における下縁８５１）と、の間で球噛みされないように、構成されている。そして、実施形態の場合、球噛み防止機構８００は、図６１，６２に示すように、シャッタ８８０と、戻しばね８７２と、を備えて構成されている。
【０１６２】
なお、シャッタ８８０は、押え板８６０を利用して、流下口５３３の周縁におけるカバーパネル５００の取付基部８１０に、取り付けられている。
【０１６３】
また、シャッタ８８０を配設させるカバーパネル５００では、既述の断面Ｕ字状のＳルート用移送路部５３０を、球移送室４６５への遊技球Ｂの流入路部５３１とし、断面Ｕ字状の移送用樋部５３４を、球移送室４６５への遊技球Ｂの流入用樋部５３５とし、Ｓルート用移送口５３２を、球移送室４６５への遊技球Ｂの流下口５３３として、説明する。
【０１６４】
さらに、この流下口５３３は、既述したように、遊技球Ｂを通過可能な開口面積を有して、回転するリング状回転体４１０の仕切枠体４３０における外周壁４５０を含めた外縁環部４３２の前方より、若干、回転中心軸Ｏ３から離れる外側に、周縁８５０の右縁８５２を配置させている（図６３参照）。詳しく述べれば、図６５に示すように、流下口５３３は、左右方向の開口幅ＯＷを遊技球Ｂの直径寸法ＢＤ分より若干大きくして、回転移動する球移送室４６５の回転移動軌跡より、右縁８５２を右方側にずらして配設されている。
【０１６５】
カバーパネル５００の断面Ｕ字状の流入用樋部５３５は、図５９，６０，６５に示すように、前端側の流入口５３５ａを、ＳルートＳＲの流下ルートＳ２におけるＳルート案内樋部１５２の後端側の流出口１５２ａに連通させるように、流出口１５２ａと前後方向で重ねるように、流出口１５２ａの後方に配置させている。また、流入用樋部５３５は、図３９，４０，６５に示すように、流下口５３３の周縁８５０における下縁８５１から前方に延びる底壁部８４１と、周縁８５０の右縁８５２から前方に延びる側壁部８４７と、流下口５３３から左側にずれたカバーパネル５００の開口５０２の周縁から前方に延びるとともに、底壁部８４１の左縁から上方に延びるように配設される側壁部８４５と、を備えて構成されている。左方側の側壁部８４５は、転動してくる遊技球Ｂを右側に案内する三角板状の案内リブ８４６を、上縁に配設させている。右方側の側壁部８４７は、後縁側を、前後方向に沿わせて、流下口５３３の右縁８５２に連ならせるストレート部８４７ａとし、前縁側を、底壁部８４１とともに、ストレート部８４７ａから斜め前方に延びるように屈曲させた前縁部８４７ｂとして、構成されている。前縁部８４７ｂの前端側の上端には、シャッタ８８０の開き時における後述する規制部８９２の先端部８９２ｂとの干渉を防止する切欠き凹部８４７ｃが、形成されている（図６１〜６４参照）。
【０１６６】
底壁部８４１の上面は、遊技球を転動させる案内面（転動面）８４２として、前方から見て、カバーパネル５００の平坦面部５２１のエリアの前方側に配置される右側の案内面８４４と、テーパ面部５２２のエリアの前方側として、段差８４２ａを有して案内面８４４より上方に配置される左側の案内面８４３と、を備えて構成されている。案内面８４３は、案内リブ８４６の直下の遊技球と接触しない部位を除いて、右下がりに傾斜し、案内面８４４は、流下口５３３の下縁８５１に連なるように、前縁側から後縁側に下がるように傾斜している。また、この案内面８４４は、前後方向の長さ寸法ＧＬ（図６５参照）を、遊技球Ｂの直径寸法ＢＤより若干大きく設定されている。さらに、段差８４２ａの上縁の角部８４２ｂは、水平方向に沿う前後方向に沿って、配設されている。
【０１６７】
この流入用樋部５３５では、Ｓルート案内樋部１５２の後端側の流出口１５２ａから転動してくる遊技球Ｂが、流入口５３５ａを経て流入してくれば、左側の案内面８４３に転動しても、案内面８４３の右下がりの傾斜により、右側の案内面８４４上における前縁８４４ａ付近に転動し、そして、案内面８４４の後下がりの傾斜により、後方の流下口５３３に転動して、流下口５３３から球移送室４６５に流下していくように、構成されている。なお、流入口５３５ａから流入してきた遊技球Ｂは、案内面８４３上で、右方向に転動して、案内面８４４の前縁８４４ａ側に転動しても、流入用樋部５３５の右側の側壁部８４７における屈曲している前縁部８４７ｂに受け止められて、Ｓルート案内樋部１５２側に逆流せず、円滑に、流下口５３３側に転動する。
【０１６８】
カバーパネル５００の流下口５３３の上縁側には、図３８〜４０に示すように、シャッタ８８０の押圧片部８８２を収納するスリット８２０が、上方に延びるように配設されている。スリット８２０の上端の周縁には、シャッタ８８０を取り付ける既述の取付基部８１０が配設されている。取付基部８１０は、カバーパネル５００の前側カバー部５２０の前面側における平坦面部５２１とテーパ面部５２２との両側にわたるように、配設されている。取付基部８１０は、図６１，６２に示すように、取付基部８１０にねじ８７４止めされる押え板８６０を利用して、シャッタ８８０の上端側の元部８８１を回動可能に軸支して保持する。なお、スリット８２０自体は、カバーパネル５００の平坦面部５２１とテーパ面部５２２との境界部位付近に、配設されている。
【０１６９】
シャッタ８８０は、上端側の元部８８１と、元部８８１の下方の押圧片部８８２と、押圧片部８８８の下端（先端）に設けられた止め片部８９０と、を備えて構成されている。このシャッタ８８０は、図５９〜６４に示すように、流下口５３３を閉塞する閉塞位置ＳＣＰと、下端の止め片部８９０側を流下口５３３から離れる前方に回転させて流下口５３３を開口させる開口位置ＳＯＰと、の間を、回転する羽根板４４０と戻しばね８７２とを利用して、回動するように構成されている。
【０１７０】
元部８８１は、支持ピン８７０を挿入させた挿通孔８８１ａを有する円筒状に形成されている。元部８８１に挿入された支持ピン８７０は、図６３，６４に示すように、遊技球Ｂを収容して移送するリング状回転体４１０の回転中心軸Ｏ３を中心とする半径方向に、軸心Ｏ４を沿わせて、取付基部８１０と取付基部８１０に固定された押え板８６０との間で、保持されている。そのため、シャッタ８８０は、元部８８１から下方に延びる押圧片部８８２が、下方の止め片部８９０とともに、流下口５３３付近を通過する各羽根板４４０と略直交する方向の面に沿って、換言すれば、流入路部５３１の流下口５３３から球移送室４６５に流入する遊技球Ｂの流入方向の前後方向に沿って、回動可能として、既述の二つの閉塞位置ＳＣＰと開口位置ＳＯＰとの間を移動することとなる。
【０１７１】
元部８８１付近には、既述の戻しばね８７２が配設されている。この戻しばね８７２は、開口位置ＳＯＰ側にあるシャッタ８８０を閉塞位置ＳＣＰ側に付勢する付勢手段を構成するものであり、実施形態の場合、捩りコイルばねからなり、元部８８１に巻き掛けつつ、一端を取付基部８１０の支持突起８１４に係止させ、他端をシャッタ８８０の押圧片部８８２の支持突起８８６に係止させている。シャッタ８８０は、この戻しばね８７２により、流下口５３３を閉塞する側に回転（下端の止め片部８９０を後方側に回転）するように、常時、付勢されている。
【０１７２】
押圧片部８８２は、前方から見て、リング状回転体４１０の羽根板４４０の外縁前端部４４４の回転軌跡に沿うように、湾曲しつつ、側方から見て、略三角板状に形成されている。この押圧片部８８２は、左側面に既述の支持突起８８６を設け、右側面に係止突起８８７を突設させている。係止突起８８７は、スリット８２０の周縁の平坦面部５２１の前面側に当接されて、戻しばね８７２により付勢されたシャッタ８８０の止め片部８９０が、流下口５３３に接近した流下口５３３の閉塞位置ＳＣＰで停止するように、配設されている。
【０１７３】
また、押圧片部８８２は、後面を摺動面８８３として、止め片部８９０が流下口５３３を閉塞している際、摺動面８８３側を、各玉移送室４６５内に進入させるとともに、各羽根板４４０の外縁前端部４４４より、壁有り球移送室４６７の外周壁４５０の略厚さ寸法Ｔ１分、リング状回転体４１０の回転中心軸Ｏ３側にずらすように、配設されている（図６３，６７参照）。そして、この摺動面８８３は、回転する各羽根板４４０の外縁前端部４４４より、厚さ寸法Ｔ１分、回転中心軸Ｏ３側にずれた位置を押圧部４４５として、リング状回転体４１０の回転に伴う各羽根板４４０の回転移動時、その各押圧部４４５に摺動されて、押圧片部８８２を、軸心Ｏ４を中心として、前方に回転移動させることとなる。そしてその際、シャッタ８８０の止め片部８９０は、流下口５３３から離れるように、開口位置ＳＯＰまで前方側に回転移動し、流下口５３３を開口させることとなる。
【０１７４】
なお、押圧片部８８２は、回転時の各羽根板４４０の押圧部４４５に当接するものの、各羽根板４４０の外縁前端部４４４より回転中心軸Ｏ３側に外周壁４５０の略厚さ寸法Ｔ１分ずれているため、壁有り球移送室４６７の外周壁４５０に押圧されることは無く、壁有り球移送室４６７が回転移動してきても、外周壁４５０の内側にずれて、配置されることとなる（図６７，６８参照）。
【０１７５】
さらに、押圧片部８８２の下面８８４自体は、図６０に示すように、軸心Ｏ４を回転中心として前後に揺動しても、案内面８４４上を転動して流下口５３３から球移送室４６５に流下する遊技球Ｂと、当接しないように、設定されている。
【０１７６】
シャッタ８８０の止め片部８９０は、図６１，６２に示すように、連結部８９１と規制部８９２とを備えて構成されて、流下口５３３の前方側に配置されている。連結部８９１は、押圧片部８８２の下端の前縁側から下方に延びる延設部８９１ａと、延設部８９１ａの下端から屈曲して、リング状回転体４１０の回転中心軸Ｏ３から離れる右方に延びる屈曲部８９１ｂと、を備えて構成されている。規制部８９２は、屈曲部８９１ｂの先端（右端）から下方に延びるように、突設されている。規制部８９２は、屈曲部８９１ｂ側の元部８９２ａから先端部８９２ｂにかけて、側方から見て先細りの略三角板状としている。なお、止め片部８９０の連結部８９１も、押圧片部８８２の下面８８４と同様に、軸心Ｏ４を回転中心として前後に回動しても、案内面８４４上を転動して流下口５３３から球移送室４６５に流下する遊技球Ｂと、当接しないように、設定されている。
【０１７７】
そして、規制部８９２は、流下口５３３の前方のエリアにおける右縁８５２の近傍に配置され、先端部８９２ｂの前面を規制面８９３として、シャッタ８８０の閉塞位置ＳＣＰへの配置時、図６１，６３，６５に示すように、流下口５３３から球移送室４６５へ流下する遊技球Ｂを規制面８９３の左縁８９３ａによって規制している。すなわち、実施形態の場合、案内面８４４上の遊技球Ｂは左方側への移動を段差８４２ａの角部８４２ｂにより規制されることから、シャッタ８８０が閉塞位置ＳＣＰに配置されている際、規制面８９３の左縁８９３ａは、単に、遊技球Ｂの右側外周面ＢＲの背面側となる後面Ｒｂを当接支持できる位置に配置されれば、遊技球Ｂの案内面８４４上の後方への転動が規制されることとなって、流下口５３３を閉塞することができる。
【０１７８】
さらに詳しく述べれば、閉塞位置ＳＣＰのシャッタ８８０における規制面８９３の左縁８９３ａで規制される遊技球Ｂは、案内面８４４に下面ＢＢが当接支持されるとともに、段差８４２ａの上端の角部８４２ｂに左側外周面ＢＬが当接支持されて、その状態で、規制面８９３の左縁８９３ａに対し、遊技球Ｂの右側外周面ＢＲにおける最も右側に突出する頂部ＢＲＴ付近の後面Ｒｂが当接されて、後方移動を規制されている。
【０１７９】
そして、この球噛み防止機構８００では、シャッタ８８０が、羽根板４４０の押圧部４４５によって押圧片部８８２を押圧されて、閉塞位置ＳＣＰから開口位置ＳＯＰに配置されれば、流下口５３３を開口させることとなる。実施形態の場合、シャッタ８８０の開口位置ＳＯＰへの配置時には、図６６に示すように、規制部８９２の先端部８９２ｂにおける左側の側面８９４や後面８９６の左縁８９６ａと、段差８４２ａの角部８４２ｂと、の間に、遊技球Ｂの通過スペースＧＳが形成され、遊技球Ｂは、この通過スペースＧＳを経て、案内面８４４上を前縁８４４ａから後方へ転動し、流下口５３３に流下されることとなる。なお、シャッタ８８０への開口位置ＳＯＰまでの回転移動量は、実施形態の場合、押圧部４４５に押圧される押圧片部８８２における前面８８２ａから後方の摺動面８８３までの後方への突出量を、調整すればよい。
【０１８０】
特に、実施形態の場合、閉塞位置ＳＣＰのシャッタ８８０が、その規制面８９３の左縁８９３ａによって遊技球Ｂを位置規制していても、その左縁８９３ａが、遊技球Ｂの右側外周面ＢＲの右方へ突出する頂部ＢＲＴ近傍の後面Ｒｂであり、前方への回転時、遊技球Ｂを前方に押し出すものの、軸心Ｏ４を回転中心とする前上がりの回転により、規制面８９３を含んだ先端部８９２ｂが、直ちに、遊技球Ｂから離脱して、遊技球Ｂの右側外周面ＢＲにおける頂部ＢＲＴの前面Ｒｆ側の前方に、先端部８９２ｂの後面８９６の左縁８９６ａを、配置させることとなって、位置規制していた遊技球Ｂを直ちに流下口５３３側に流下させることができる。
【０１８１】
そしてさらに、この時の遊技球Ｂは、先端部８９２ｂの左縁８９３ａに遊技球Ｂ自体の重心ＢＧから大きく右側に外れた頂部ＢＲＴの後面Ｒｂを押され、かつ、段差８４２ａにおける案内面８４４からの高さを浅くする前方側に押される（図６５の二点鎖線に示す遊技球Ｂ０から図６６の二点鎖線に示す遊技球Ｂ１参照）。そのため、遊技球Ｂは、真直ぐに前方移動せずに、左側の案内面８４３側にずれるように、段差８４２ａの角部８４２ｂに摺動しつつ、斜め左前に移動して、一層、規制部８９２の先端部８９２ｂにおける遊技球Ｂの後面Ｒｂ側からの離脱を迅速に行えることとなり、開口位置ＳＯＰまで回転移動するシャッタ８８０の止め片部８９０の前方移動距離（移動量）を、短く設定できる。すなわち、押圧部４４５に押圧される押圧片部８８２における前面８８２ａから後方の摺動面８８３までの後方への突出量も、極力、小さく設定できる。その結果、シャッタ８８０自体の形状と移動量とを、極力、小さくでき、球噛み防止機構８００を極力コンパクトに構成することができる。
【０１８２】
さらに、このシャッタ８８０の開き時のタイミングは、流下口５３３からの遊技球Ｂが開口４６１を経て回転移動する球移送室４６５に流下する際、流下しようとする球移送室４６５におけるリング状回転体４１０の回転方向後方側の羽根板４４０Ｂと流下口５３３の下縁８５１との間で、遊技球Ｂが挟持されない（球噛みされない）タイミングであればよい。換言すれば、案内面８４４から流下口５３３側に転動する際、遊技球Ｂが羽根板４４０Ｂと流下口５３３の下縁８５１との間で挟持されるタイミング（図５９参照）となる場合では、流下口５３３を通過しないように、シャッタ８８０を閉塞位置ＳＣＰに配置させればよい。実施形態の場合には、シャッタ８８０を閉塞位置ＳＣＰに配置させるタイミングは、押圧片部８８２の下面８８４が回転する羽根板４４０Ｂの外側面（上面）４４７側に配置されて、戻しばね８７２により、押圧片部８８２の摺動面８８３が、押圧部４４５から離脱して後続の羽根板４４０に押圧されるまでの時期としている。この時、摺動面８８３を離脱させた羽根板４４０Ｂは、流下口５３３の下縁８５１に接近して、羽根板４４０Ｂと下縁８５１との間の離隔寸法ＳＨを遊技球Ｂの直径寸法ＢＤと略等しくした球噛みポイントＢＣＰを通過することとなる。ちなみに、この時、仮に、遊技球Ｂが、流下口５３３を経て、その一部を球移送室４６５内に進入させていれば、羽根板４４０の球噛みポイントＢＣＰの通過時、羽根板４４０Ｂと下縁８５１との間で挟持されて、遊技球Ｂが球噛みされる事態を招くこととなる。
【０１８３】
そして、実施形態の場合、シャッタ８８０が開口させた流下口５３３から遊技球Ｂを流下させる球移送室４６５は、押圧片部８８２を押している押圧部４４５を有した羽根板４４０の下方側の部位としている（図６０参照）。この時、仮に、その球移送室４６５の下方側の羽根板４４０Ｆが、流下口５３３の下縁８５１より、若干、上方に配置されて、下縁８５１との間に、隙間を生じさせていても、その隙間は、遊技球Ｂより小さく、球噛みを生じさせない。そのため、シャッタ８８０の開口時には、球噛みを生ずることなく、遊技球Ｂは、案内面８４４と流下口５３３とを通過し、開口４６１を経て、球移送室４６５に流入されることとなる。
【０１８４】
勿論、その後、遊技球Ｂを流入させた球移送室４６５が下方に回転移動して、上方側の羽根板４４０Ｂが、球噛みポイントＢＣＰを通過する状態となる前には、その羽根板４４０Ｂがシャッタ８８０の摺動面８８３から離脱して、シャッタ８８０が閉塞位置ＳＣＰに配置されており、遊技球Ｂは、流下口５３３を通過できず、球噛みは防止される。
【０１８５】
なお、このシャッタ８８０の開口時、流下口５３３の後方に壁有り球移送室４６７が配置されていている場合には、図６７，６８に示すように、流下口５３３を塞ぐ外周壁４５０に遊技球Ｂが当たり、遊技球Ｂは、壁有り球移送室４６７に収容されることは無い。この場合、遊技球Ｂは、壁有り球移送室４６７における回転方向の後方側の羽根板４４０Ｂの通過後に、戻しばね８７２により閉塞位置ＳＣＰ側に付勢されるシャッタ８８０の規制部８９２における後面８９６の後方への押圧と、案内面８４４の傾斜と、により、後続の壁無し球移送室４６６に収容されることとなる。
【０１８６】
そして、このシャッタ８８０の開閉のタイミングは、押圧片部８８２の摺動面８８３や止め片部８９０の規制部８９２の寸法形状を、回転する球移送室４６５の押圧部４４５に対応して、設定すればよく、換言すれば、摺動面８８３の上端８８３ａから下面８８４までの上下方向の長さ寸法や摺動面８８３の前面８８２ａからの後方への突出量、規制部８９２の先端部８９２ｂの上下方向の長さ寸法や前後の幅寸法を、回転する球移送室４６５の隣接する羽根板４４０の押圧部４４５相互の距離や押圧部４４５の回転移動速度等を考慮しつつ、適宜、遊技球Ｂの転動する案内面８４４を通過する通過時間も参酌して、設定すればよい。
【０１８７】
［第２大入賞装置内での遊技球の動きの説明］
（ＳルートＳＲとＮルートＮＲとへの振り分け前）
実施形態の遊技機１では、図２に示すように、第１始動入賞装置４８や第２始動入賞装置５０への入賞による抽選での小当たり時、図２４に示すように、開閉駆動機構２００が作動されて、電磁ソレノイド２１０のＯＮ・ＯＦＦに伴い、左右の開閉部材１９０Ｌ，１９０Ｒが開閉するように回動して、第２大入賞口３１が開口される。そして、図６，８に示すように、第２大入賞口３１に遊技球Ｂが入賞すれば、その遊技球Ｂは、図３３に示すように、天井壁１２５ａ（天井壁部１４５）の転動面１４５ｂ，１４５ｃを転動して、左右の流入口１２６，１２７のいずれかから、振り分け準備室１２５に流入する。振り分け準備室１２５内では、図２８に示すように、流入口１２６，１２７から流入した遊技球Ｂは、側壁１２５ｃ（側壁部１４７）と内側壁１４８との間のリブ１４９，１４９の転動面１４９ａに案内されて、底壁１２５ｂの後縁側に転動し、さらに、リブ１１２ｇ，１１２ｇの転動面１１２ｈにより、底壁１２５ｂの左右方向の中央側に転動し、図３３に示すように、張出案内部１１２ｅを経て、流下口１２８の左右方向の中央付近から、直下に、落下する。
【０１８８】
そして、小当たり時には、開閉部材１９０Ｌ，１９０Ｒの開閉駆動機構２００とともに、振り分け機構２５０の駆動モータ３２５が作動されて、振り分け機構２５０の振り分け部材２６０が、流下口１２８の下方で左右に揺動している（図３１，３２参照）。そのため、図３３に示すように、流下口１２８の直下で左右に揺動している振り分け部材２６０の振り分け案内板２８０が、先端部２８５の上面側の振り分け面２８５ａの向いた方向に応じて、振り分け面２８５ａで反射させつつ、遊技球Ｂを、左右のＮルートＮＲとＳルートＳＲとのいずれかに振り分けて、それらの転動ルートＮ１，Ｓ１に移送させる。
【０１８９】
（ＳルートＳＲでの遊技球の動きの説明）
ＳルートＳＲは、既述したように、Ｖ入賞する確率の高い高入賞率ルートであり、このＳルートＳＲでは、遊技球Ｂは、順次、図６，１１に示すように、転動ルートＳ１、流下ルートＳ２、移送ルートＳ３、振り分けルートＳ４に移送され、振り分けルートＳ４において、入賞ルートＳ５と外れルートＳ６とに振り分けられることとなる。
【０１９０】
すなわち、遊技球Ｂは、振り分け部材２６０の振り分け案内板２８０により、右側の向きを変えれば、図６，３３のＡや図１２，１３に示すように、転動ルートＳ１に移送されて、振り分け転動路部１１４の右側の転動面１１４ｂを右縁まで転動する。そして、遊技球Ｂは、Ｓルート案内路部１１５を通過して、流下ルートＳ２に移送される。この流下ルートＳ２では、図６０に示すように、Ｓルート案内路部１１５を通過した遊技球Ｂが、流下路形成部材１３０の転動壁部１３１や流下筒部１３３を通過して、センター飾り組付体１００の下側仕切材１５０におけるＳルート案内樋部１５２を後方へ転動し、さらに、ベース側構造体３００のカバーパネル５００におけるＳルート用移送路部５３０の移送用樋部５３４に転動する。
【０１９１】
そして、球噛み防止機構８００のシャッタ８８０が、移送用樋部５３４（流入用樋部５３５）の後端のＳルート用移送口５３２（流下口５３３）を開口させていれば、遊技球Ｂが移送口５３２から後下へ流下して、移送ルートＳ３に移送される。移送ルートＳ３では、図１０，１１に示すように、移送口５３２から流下した遊技球Ｂがリング状回転体４１０の球移送室４６５（球収容凹部４６０）に収容され、その回転によって、回転中心軸Ｏ３を中心とした時計回り方向に移送されることとなる。
【０１９２】
なお、遊技球Ｂを収容できる球移送室４６５は、既述したように、外周壁４５０を有しない壁無し球移送室４６６である。また、リング状回転体４１０は、小当たり等と無関係に、Ｓルート振り分け部材６２０とともに、遊技機１の電源ＯＮと同時に、常時、時計回り方向に回転駆動されている。
【０１９３】
その後、図３８，４１に示すように、遊技球Ｂを収容した壁無し球移送室４６６が、その開口４６１を、カバーパネル５００におけるＳルート用流出路部５４０のＳルート用流出口５４１に到達させれば、羽根板４４０Ｆにおける外縁４４２側を下げた傾斜と外周側カバー部５１５のテーパ面５１７ａとによって、遊技球Ｂが、流出口５４１の周縁５４２の右縁５４２ａ側から前方のＳルート用流出路部５４０の流出用樋部５４３に転動し、振り分け部材６２０を配置させたステージ６１０に連なる振り分けルートＳ４に移送される。
【０１９４】
振り分けルートＳ４では、図４７に示すように、ステージ６１０の転動路６１１に遊技球Ｂが流入し、さらに、遊技球Ｂは、流入路６１２を経て、時計回り方向に回転する振り分け部材６２０に到達する。
【０１９５】
この時、遊技球Ｂが、振り分け部材６２０のＶ入賞用収納凹部６２４に収納されれば、入賞ルートＳ５に移送されたこととなり、振り分け部材６２０の回転によって、受止座６６６（図４２，４６参照）から第２Ｖ入賞口３３の上方に移送された際、図４７のＡに示すように、その第２Ｖ入賞口３３に落下するように入賞すれば大当たりとなり、第２Ｖ入賞口ＳＷ３８（図３参照）をＯＮさせつつ第２大入賞装置３０外へ、排出される。
【０１９６】
一方、振り分け部材６２０に到達した遊技球Ｂが、振り分け部材６２０の底板６２３を有した外れ用収納凹部６２１，６２２に収納されれば、外れルートＳ６に移送されたこととなり、振り分け部材６２０の回転により、図４７のＢ，Ｃに示すように、それらの開口６２１ａ，６２２ａが外れ排出路６１３に向けば、外れ用収納凹部６２１，６２２から排出されて外れ排出路６１３に転動する。そして、外れ排出路６１３を転動した遊技球Ｂは、外れ排出口６１４、排出用開口６６３等を経て、排出口ＳＷ３９をＯＮさせつつ第２大入賞装置３０外へ、排出される（図４６，３参照）。
【０１９７】
（ＮルートＮＲでの遊技球の動きの説明）
ＮルートＮＲは、既述したように、Ｖ入賞する確率をＳルートＳＲに比べて低くする低入賞率ルートであり、このＮルートＮＲでは、遊技球Ｂは、順次、図６，７，９に示すように、転動ルートＮ１、流下ルートＮ２、振り分けルートＮ３に移送され、振り分けルートＮ３において、まず、入賞期待ルートＮ４と、Ｖ入賞とならない外れ流下ルートＮ７と、に振り分けられる。さらに、遊技球Ｂは、入賞期待ルートＮ４において、Ｖ入賞移送ルートＮ５とＶ入賞とならない外れ移送ルートＮ６と、に振り分けられる。
【０１９８】
すなわち、遊技球Ｂは、振り分け部材２６０の振り分け案内板２８０により、左側の向きを変えれば、図６，１０，３３のＢや図１２に示すように、転動ルートＮ１に移送されて、振り分け転動路部１１４の左側の転動面１１４ｃを左縁まで転動する。そして、遊技球Ｂは、Ｎルート案内路部１１６を通過して、流下ルートＮ２に移送される。
【０１９９】
この流下ルートＮ２では、図８，１０，４８に示すように、Ｎルート案内路部１１６を通過した遊技球Ｂが、センター飾り組付体１００の前カバーパネル部１１７と下側仕切材１５０のＮルート案内背板部１５３との間の転動面１１８ａを転動し、さらに、転動面１１９ａに至った場合でも反転して、底板１２０の転動面１２０ａの凹溝１２０ｂから後方の振り分け部材７１０に向かう。
【０２００】
なお、この振り分け部材７１０も、既述したように、小当たり時において、開閉部材１９０Ｌ，１９０Ｒや振り分け部材２６０とともに、作動されて、振り分け昇降機構７５０の駆動モータ７６０の回転駆動により、初期位置の下端位置ＤＰと上端位置ＵＰとの間で上下往復移動することとなる（図５６，５７参照）。
【０２０１】
振り分け部材７１０に向かった遊技球Ｂは、振り分けルートＮ３に移送されたことなり、その際、振り分け部材７１０が下端位置ＤＰ付近に配置されていれば、図７，５４，５８のＡに示すように、入賞期待ルートＮ４に振り分けられて、振り分け案内板７２０の案内面７２３上を後方に転動する。一方、遊技球Ｂが、振り分けルートＮ３に移送された際に、振り分け部材７１０が上端位置ＵＰ付近に配置されていれば、図９，５５，５８のＢに示すように、案内面７２３上に乗ることができず、振り分け案内板７２０の前端面７２０ｂの外れ排出面７２６，７２７に摺接しつつ後方に転動すれば、外れ流下ルートＮ７に振り分けられる。そして、振り分け流下ルートＮ７に移送された遊技球Ｂは、振り分け部材７１０の左右の外れ排出口７８５，７８６に流下され、排出用樋部７８７，７８８（図５２参照）を経て、排出口ＳＷ３９（図３参照）をＯＮさせつつ、第２大入賞装置３０外に排出されることとなる。
【０２０２】
また、遊技球Ｂが入賞期待ルートＮ４に移送された際、リング状回転体４１０の回転に伴い、振り分け案内板７２０の後方に壁有り球移送室４６７が配置されていれば、図５４に示すように、遊技球Ｂは、壁有り球移送室４６７に収容され、図８，９に示すように、Ｖ入賞移送ルートＮ５に移送されることとなる。一方、遊技球Ｂが入賞期待ルートＮ４に移送された際に、振り分け案内板７２０の後方に、壁無し球移送室４６６が配置されていれば、図５８のＡ，Ｂに示すように、遊技球Ｂは、壁無し球移送室４６６に収容されて、外れ移送ルートＮ６に移送されることとなる。
【０２０３】
この外れ移送ルートＮ６では、壁無し球移送室４６６が、壁有り球移送室４６７のような外周壁４５０を備えていないことから、リング状回転体４１０の回転に伴って、壁無し球移送室４６６は、収容した遊技球Ｂを、羽根板４４０Ｂで押し、図５８のＡ，Ｂに示すように、転動部材７８０の転動面７８２ａ上を左方側に転動させて、左方側の外れ排出口７８４へ流下させることとなる。外れ排出口７８４に流下した遊技球Ｂは、排出用樋部７８８を経て、排出口ＳＷ３９をＯＮさせつつ、第２大入賞装置３０外に排出されることとなる（図５２，３参照）。
【０２０４】
一方、壁有り球移送室４６７に収容されてＶ入賞移送ルートＮ５を移送された遊技球Ｂは、図９，４３，４４に示すように、壁有り球移送室４６７の開口４６１が、カバーパネル５００のＮルート用流出路部５８０における流出口５８１に到達すれば、羽根板４４０Ｂの案内面４４８の傾斜により、壁有り球移送室４６７から前方の流出用樋部５８３に転動する。さらに、遊技球Ｂは、転動面５８５ａを転動して、第１Ｖ入賞口３２に入って大当たりとなり、第１Ｖ入賞口ＳＷ３７をＯＮさせつつ第２大入賞装置３０外へ、排出されこととなる。
【０２０５】
そして、壁有り球移送室４６７に収納された遊技球ＢがＶ入賞移送ルートＮ５を移送される際には、テーパ面部５６２と壁有り球移送室４６７の開口４６１とにおけるリング状回転体４１０の回転中心軸Ｏ３側へ向かう後方側への傾斜により、遊技球Ｂが見え易く、かつ、回転するリング状回転体４１０の下端付近から、少なくとも９０°を超える回転角度分、演出を楽しめる画像表示装置４０の回りで、長く移送されて、その遊技球ＢがＶ入賞することとなるため、遊技者は、Ｖ入賞する遊技球Ｂの移送を、楽しんで目視することができる。
【０２０６】
［実施形態の遊技機の作用・効果］
以上のように、実施形態の遊技機１では、壁有り球移送室４６７内に収納され遊技球Ｂが、リング状回転体４１０の回転に伴って、Ｎルート用移送口５７１とＮルート流出口５８１との間を移送される際、図８，９に示すように、前側カバー部５６０の部位では、壁有り球移送室４６７の略扇状の開口４６１から目視できる遊技球Ｂは、透明な前側カバー部５６０を介在させて目視されることとなる。そして、図３７に示すように、この前側カバー部５６０における通過する開口４６１の前面側には、テーパ面部５６２が配設されており、このテーパ面部５６２は、内周縁側となる先端５６２ａ側を、リング状回転体４１０の回転中心軸Ｏ３側に向かって、後方側へ傾斜させて、壁有り球移送室４６７の内側筒部４３１の前端４３１ａに接近させ、前後方向の投影面積ＲＰ１より、傾斜している分、面積ＲＰ２を広くできる。すなわち、図８，９に示すように、実質的に、面積ＳＰ２を広くした透明なテーパ面部５６２により、壁有り球移送室４６７内の遊技球Ｂを目視し易くなる。
【０２０７】
さらに、球移送室４６５を区画している羽根板４４０も、図３７に示すように、前端面４４３における内側筒部４３１側の内縁４４１側より外縁４４２側を前方へ張り出させて、換言すれば、テーパ面部５６２に対応して、内縁４４１側を後方に向かわせるように、傾斜しており、前後方向の投影面積ＲＯ１より、傾斜している分、実質的な開口面積ＲＯ２を、広げることとなって、図８，９に示すように、壁有り球移送室４６７内が見易くなり、羽根板４４０の前端面４４３がテーパ面部５６２の裏面側に接近することもあいまって、壁有り球移送室４６７内の遊技球Ｂが目視し易くなる。
【０２０８】
また、リング状回転体４１０は、図８，９，３５に示すように、内側筒部４３１を備えて、遊技球Ｂを内周側に落下させないことから、移送時の回転角度を大きくして、遊技球Ｂの移送距離を長くしても、支障なく、遊技球を移送することができる。
【０２０９】
さらに、この内側筒部４３１は、球移送室４６５への遊技球Ｂの流入用の開口が設けられることなく、リング状回転体４１０の内周側の全周にかけて配設されており、その内側筒部４３１の内周側の後方には、リング状回転体４１０の下端付近におけるＳルートＳＲ用のステージ６１０の後縁付近を除き、支持部材８９に支持させた画像表示装置４０の表示画面４１を、配設するだけでよく、画像表示装置４０の表示画面４１を視認性よく見ることができる。
【０２１０】
したがって、実施形態の遊技機１では、遊技球Ｂと画像表示装置４０の表示画面４１との良好な視認性を確保して、画像表示装置４０の周囲で、遊技球Ｂを長く移送でき、遊技者の目を楽しませることができる。
【０２１１】
また、実施形態の遊技機１では、球有り球移送室４６７によって遊技球Ｂが移送されるルートは、ＮルートＮＲのＶ入賞移送ルートＮ５として、このルートは、入賞期待ルートＮ４の遊技球Ｂが、換言すれば、Ｎルート用振り分け部材７１０の振り分け案内板７２０の上面７２０ａ上を後方へ転動する遊技球Ｂが、壁有り球移送室４６７に流入して、その後、Ｎルート用流出口５８１から流出するまでのルートである（図７，１１参照）。すなわち、このルートは、壁有り球移送室４６７が、回転するリング状回転体４１０における振り分け部材７１０の配置された下端４０９ａ位置から、リング状回転体４１０の回転中心軸Ｏ３の左右方向の真横を越えた上方のＮルート用流出口５８１の配置位置までの、リング状回転体４１０の少なくとも９０°を超える回転角度分、テーパ面部５６２によって前面側を覆われた状態として、遊技球Ｂを長く移送している（図９，３８参照）。そのため、実施形態の遊技機１では、演出を楽しめる画像表示装置４０の回りで、長く、かつ、ダイナミックに、遊技球Ｂを移送できて、遊技者の目を楽しませることができる。
【０２１２】
この場合、実施形態では、移送後における壁有り球移送室４６７からの遊技球Ｂの流出部位を、Ｖ入賞できる第１Ｖ入賞口３２としており、遊技球Ｂが壁有り球移送室４６７に収納された時点から第１Ｖ入賞口３２まで移送される際、遊技者は、見易い状態の遊技球Ｂを目視しつつ、Ｖ入賞する感覚を、じっくり、かつ、確実に味わえ、遊技の趣向性を向上させることができる。
【０２１３】
なお、実施形態では、右側のテーパ面部５２２側においても、図１０，１１，３６に示すように、Ｓルート用移送口５３２からＳルート用流出口５４１まで壁無し球移送室４６６によって移送される遊技球Ｂが、テーパ面部５２２と開口４６１との傾斜により、同様に、良好に目視できるように構成されている。
【０２１４】
また、実施形態の遊技機１では、球移送室４６５の開口４６１の前面を覆う前側カバー部のテーパ面部５６２，５２２を、回転するリング状回転体４１０の下端４０９ａ付近のＮルート用移送口５７１を除く下側の略２４０°の角度範囲に設けており、このエリアは、センター役物２５の下側におけるステージ６１０近傍のエリアであって、遊技者が斜め上方から下向きに目視し易く、一層、移送する遊技球Ｂを良好に目視できて、遊技者の目を楽しませることができる。
【０２１５】
特に、実施形態では、遊技球Ｂが第１Ｖ入賞口３２まで移送されるＶ入賞移送ルートＮ５の前方側に、本体枠材１１０と下側仕切り材１５０とから形成される遊技球Ｂの流下ルートＮ２が重なっていても、リング状回転体４１０の回転中心軸Ｏ３の前方側における右側から見れば（回転中心軸Ｏ３を中心とした左右対称的な位置から見れば）、遊技球Ｂを移送中の壁有り球移送室４６７の前面側を覆っているテーパ面部５６２や開口４６１が後内側向きに傾斜しており、テーパ面部５６２や開口４６１に対して正対する状態で、遊技球Ｂを目視できる（図７，８参照）。そのため、実施形態では、流下ルートＮ２の構成部材である前カバーパネル部１１７を含めた本体枠材１１０や下側仕切り材１５０が透明材から形成されていることもあいまって、流下ルートＮ２の構成部材に邪魔されることなく、視認性よく、壁有り球移送室４６７によって移送される遊技球Ｂを、見ることができる。
【０２１６】
また、実施形態では、ＮルートＮＲの流下ルートＮ２とＳルートＳＲの流下ルートＳ２とが、リング状回転体４１０の球移送室４６５の回転移動軌跡の前方で重なっている（図６参照）。さらに、ＮルートＮＲでは、球移送室４６７への遊技球Ｂの流入が、リング状回転体４１０の下端４０９ａにおいて、転動面１２０ａ，７２０ａを利用し、前方側から後方へ転動させて行い（図５４参照）、球移送室４６７から遊技球Ｂの流出を、リング状回転体４１０の回転中心軸Ｏ３の左上側における流出部位５８０において、前方側に転動させて外方に流出させている（図４３，４４参照）。また、ＳルートＳＲでは、球移送室４６６への遊技球Ｂの流入が、リング状回転体４１０の回転中心軸Ｏ３の左上側における流入部位５３０において、転動面８４２を利用し、前方側から後方へ転動させて行い（図６６参照）、球移送室４６６から遊技球Ｂの流出を、回転中心軸Ｏ３の右下側における流出部位５４０において、転動面５４５ｂを利用し、前方側に転動させて内側外方に流出させている（図１１，３８参照）。すなわち、実施形態では、回転するリング状回転体４１０の球移送室４６５に対し、前方側から遊技球Ｂを流入させ、前方側へ遊技球Ｂを流出させる構成として、リング状回転体４１０の内周側や外周側に張り出すことを抑えて、遊技球Ｂの出し入れを行ない、特に、リング状回転体４１０の回転中心軸Ｏ３を基準とした下方側の１８０°の範囲では、リング状回転体４１０の外周側に張り出すこと無く、球移送室４６５に対して遊技球Ｂの出し入れを行っている。そのため、センター役物２５の第２大入賞装置３０が、入賞した遊技球Ｂを流入させて移送するリング状回転体４１０を備えていても、センター役物２５の周囲の遊技領域１３を狭めることを抑制できる。その結果、実施形態のように、センター役物２５の周囲の遊技盤１２が、透明な遊技盤本体８０とその後方の装飾部材８５とを備えて構成されて、前面側から装飾部材８５が目視できる構成としていても（図７，８，１０，１１参照）、流下ルートＮ２や流出部位５４０等を、遊技領域１３側に突出することを抑えて配設できて、その部位の装飾部材８５の配設スペースを狭めずに済むことから、装飾部材８５の装飾効果を確保しやすくなる。
【０２１７】
さらにまた、実施形態の遊技機１では、リング状回転体４１０の球移送室４６５を区画する羽根板４４０が、リング状回転体４１０の回転中心軸Ｏ３から、放射状に、遊技球Ｂの直径寸法ＢＤより長く延びている。そのため、リング状回転体４１０の回転時には、リング状回転体４１０の回転中心軸Ｏ３から、放射状に、遊技球Ｂの直径寸法ＢＤより長く延びる多数の羽根板４４０が、冠歯車のように、画像表示装置４０の表示画面４１の周囲で大きく回転するため、これらの羽根板４４０や羽根板４４０間の扇状の開口４６１の回転移動によっても、遊技者の目を楽しませることができる。
【０２１８】
［変形例］
実施形態では、球移送室４６５により遊技球Ｂを移送するエリアにおいて、開口４６１の前方の全域をテーパ面部５６２，５２２自体によって覆ってはいないが（約８割程度）、球移送室４６５内の遊技球Ｂを目視し易ければ、実施形態のように、開口４６１の外周側の前方の一部を、平坦面部５６１，５２１によって覆うように構成してもよい。勿論、図６９に示すように、球移送室４６５により遊技球Ｂを移送するエリアにおいて、開口４６１の前方の全域をテーパ面部５６２，５２２が覆うように、前側カバー部５６０Ａ，５２０Ａを構成してもよい。
【０２１９】
また、実施形態では、テーパ面部５６２，５２２における回転中心軸Ｏ３側の後方へ向かって傾斜する角度θｐを３２°とし、羽根板４４０の前端面４４３における回転中心軸Ｏ３側の後方へ向かって傾斜する角度θｂを２０°とした場合を例示したが、テーパ面部５６２，５２２や球移送室４６５の開口４６１の面積の実質的な拡大効果を確保する上では、角度θｐ，θｂは、１０°以上、好ましくは２０°が望ましく、そして、大きすぎれば、奥行き寸法が無用に大きくなって、画像表示装置４０を後方に配置させて見難くしまうことから、４５°以下、好ましくは４０°以下が望ましい。
【０２２０】
さらに、実施形態では、リング状回転体４１０が、時計回り方向に回転する場合を示したが、Ｎルート用流出口５８１等の各部位を左右対称的に配設すれば、リング状回転体４１０を、反時計回り方向に回転させてもよい。
【０２２１】
さらにまた、実施形態では、リング状回転体４１０が、遊技機１の電源ＯＮから、常時、時計回り方向に回転する場合を示したが、球移送室４６５が遊技球Ｂを移送しない場合、例えば、第２大入賞口３１が開口されていない時等には、リング状回転体４１０を、反時計回り方向に回転させてもよい。
【０２２２】
さらに、実施形態では、リング状回転体４１０の球移送室４６５を、外周壁４５０の有無の差により、壁無し球移送室４６６と壁有り球移送室４６７との２種類から構成した場合を例示したが、Ｎルート振り分け機構７００の転動壁（外周側カバー部５９０）７８２に設けた外れ排出口７８４を塞いで、全ての球移送室４６５を壁無し球移送室４６６から構成してもよい。ちなみに、この場合には、、遊技球が、振り分け部材７１０における振り分け案内板７２０の上面７２０ａを後方へ転動すれば、全て、壁無し球移送室４６６に入り、そして、Ｎルート用流出路部５８０から流出されて第１Ｖ入賞口３２に入賞することとなる。そのため、外れ排出口７８４を塞がずに、適宜、開閉するシャッタを外れ排出口７８４に設けて、壁無し球移送室４６６に移送される遊技球が、シャッタの開閉によって、外れ排出口７８４から落下したり、あるいは、外れ排出口７８４を通過するように、振り分けてもよい。
【符号の説明】
【０２２３】
１…（パチンコ遊技機）遊技機、
１２…遊技盤、
２５…センター役物、
３２…（特定領域）Ｖ入賞口、
４０…画像表示装置、
４１…表示画面、
４１０…リング状回転体、
４３１…内側筒部、
４３１ａ…（内側筒部の）前端
４３６…背面壁部、
４４０…羽根板、
４４１…内縁、
４４２…外縁、
４４３…前端面、
４６１…開口、
４６５…球移送室、
５１０，５５０…カバー部、
５１５，５５５…外周側カバー部、
５２０，５６０…前側カバー部、
５２２，５６２…テーパ面部、
５８０…流出部位、
Ｂ…遊技球。
【図１】
0005465555.tif 000002
【図２】
0005465555.tif 000003
【図３】
0005465555.tif 000004
【図４】
0005465555.tif 000005
【図５】
0005465555.tif 000006
【図６】
0005465555.tif 000007
【図７】
0005465555.tif 000008
【図８】
0005465555.tif 000009
【図９】
0005465555.tif 000010
【図１０】
0005465555.tif 000011
【図１１】
0005465555.tif 000012
【図１２】
0005465555.tif 000013
【図１３】
0005465555.tif 000014
【図１４】
0005465555.tif 000015
【図１５】
0005465555.tif 000016
【図１６】
0005465555.tif 000017
【図１７】
0005465555.tif 000018
【図１８】
0005465555.tif 000019
【図１９】
0005465555.tif 000020
【図２０】
0005465555.tif 000021
【図２１】
0005465555.tif 000022
【図２２】
0005465555.tif 000023
【図２３】
0005465555.tif 000024
【図２４】
0005465555.tif 000025
【図２５】
0005465555.tif 000026
【図２６】
0005465555.tif 000027
【図２７】
0005465555.tif 000028
【図２８】
0005465555.tif 000029
【図２９】
0005465555.tif 000030
【図３０】
0005465555.tif 000031
【図３１】
0005465555.tif 000032
【図３２】
0005465555.tif 000033
【図３３】
0005465555.tif 000034
【図３４】
0005465555.tif 000035
【図３５】
0005465555.tif 000036
【図３６】
0005465555.tif 000037
【図３７】
0005465555.tif 000038
【図３８】
0005465555.tif 000039
【図３９】
0005465555.tif 000040
【図４０】
0005465555.tif 000041
【図４１】
0005465555.tif 000042
【図４２】
0005465555.tif 000043
【図４３】
0005465555.tif 000044
【図４４】
0005465555.tif 000045
【図４５】
0005465555.tif 000046
【図４６】
0005465555.tif 000047
【図４７】
0005465555.tif 000048
【図４８】
0005465555.tif 000049
【図４９】
0005465555.tif 000050
【図５０】
0005465555.tif 000051
【図５１】
0005465555.tif 000052
【図５２】
0005465555.tif 000053
【図５３】
0005465555.tif 000054
【図５４】
0005465555.tif 000055
【図５５】
0005465555.tif 000056
【図５６】
0005465555.tif 000057
【図５７】
0005465555.tif 000058
【図５８】
0005465555.tif 000059
【図５９】
0005465555.tif 000060
【図６０】
0005465555.tif 000061
【図６１】
0005465555.tif 000062
【図６２】
0005465555.tif 000063
【図６３】
0005465555.tif 000064
【図６４】
0005465555.tif 000065
【図６５】
0005465555.tif 000066
【図６６】
0005465555.tif 000067
【図６７】
0005465555.tif 000068
【図６８】
0005465555.tif 000069
【図６９】
0005465555.tif 000070